(57)【要約】【課題】操作が簡単で、１つの組織又は複数の組織の一方の側にだけアクセスすればよい閉鎖機構と閉鎖方法が必要とされている。さらに、場所を正確に特定できる信頼性のある閉鎖が必要とされている。【解決手段】インプラントを担持する一時的フレームを備える装置であって、その一時的フレームは、引っ込められた位置と使用可能位置の間を選択的に移動でき、インプラントは、フレームによって担持されて引っ込められた位置にあるときには弛緩していて、フレームによって担持されて使用可能位置にあるときにはぴんと張っている。【選択図】図１Ｂ
2019093216.tif 000002
【特許請求の範囲】
【請求項１】
装置本体と、
インプラントと、
該インプラントを担持していて前記装置本体内で延在する取り外し可能なフレームと、を具備し、該フレームが、当該フレームがつぶれている引っ込められた位置と当該フレームが伸長していて前記インプラントから取り外すことのできる伸長位置との間を選択的に移動できるインプラント送達装置。
【請求項２】
前記インプラントがメッシュである請求項１に記載のインプラント送達装置。
【請求項３】
前記インプラントがグラフトである請求項１に記載のインプラント送達装置。
【請求項４】
前記インプラントがフィルムである請求項１に記載のインプラント送達装置。
【請求項５】
前記インプラントが、前記フレームが引っ込められた位置にあるときには弛緩していて、前記フレームが伸長位置にあるときにはぴんと張っている請求項１に記載のインプラント送達装置。
【請求項６】
前記フレームが前記伸長位置にあるときに前記インプラントを患者の組織に固定する固定具駆動装置をさらに具備する請求項１に記載のインプラント送達装置。
【請求項７】
前記インプラントが組織に固定された後、前記フレームが、前記伸長位置から前記引っ込められた位置まで移動するときに前記インプラントから離れる請求項６に記載のインプラント送達装置。
【請求項８】
前記装置本体が遠位開口部を有するチューブ状部分を有する請求項１に記載のインプラント送達装置。
【請求項９】
前記チューブ状部分がカテーテルである請求項８に記載のインプラント送達装置。
【請求項１０】
前記フレームが、前記引っ込められた位置から前記伸長位置まで移動するときに前記チューブ状部分の前記遠位開口部を通って遠位方向に移動する請求項９に記載のインプラント送達装置。
【請求項１１】
前記チューブ状部分を通って延びる複数の固定具駆動装置をさらに具備し、該複数の固定具駆動装置の各々が、引っ込められた位置と伸長位置とを有する請求項８に記載のインプラント送達装置。
【請求項１２】
前記複数の固定具駆動装置が伸長位置にあるとき、前記フレームは、前記引っ込められた位置から前記伸長位置まで移動する際にその複数の固定具駆動装置に沿って滑ることができる請求項１１に記載のインプラント送達装置。
【請求項１３】
前記固定具駆動装置の各々の遠位部は、前記フレームが前記伸長位置にあるときに該フレームを受容し且つ保持するように構成された湾曲した座部を有する請求項１２に記載のインプラント送達装置。
【請求項１４】
前記固定具駆動装置の各々が遠位開口部を有し、該遠位開口部を通じて前記固定具駆動装置の各々が固定具を駆動するように構成されている請求項１３に記載のインプラント送達装置。
【請求項１５】
駆動された前記固定具を前記固定具駆動装置の遠位開口部を通過させて前記フレームによって支持された前記インプラントに打ち込むことのできる位置に、前記固定具駆動装置の各々の前記湾曲した座部が前記フレームを保持する請求項１４に記載のインプラント送達装置。
【請求項１６】
前記固定具駆動装置が、各々の固定具を同時に駆動して、前記フレームによってぴんと張った状態に保持されている前記インプラントの中に入れるように構成された請求項１５に記載のインプラント送達装置。
【請求項１７】
前記固定具駆動装置の各々の遠位端が、該固定具駆動装置が前記引っ込められた位置にあるときには前記チューブ状部分の長軸に隣接して配置され、該固定具駆動装置が遠位方向に移動して前記伸長位置に到達するときには前記チューブ状部分の長軸から径方向外側に延在する請求項１１に記載のインプラント送達装置。
【請求項１８】
前記フレームが形状記憶合金でできている請求項１に記載のインプラント送達装置。
【請求項１９】
前記フレームがニチノールでできている請求項１に記載のインプラント送達装置。
【請求項２０】
前記フレームがバネ鋼でできている請求項１に記載のインプラント送達装置。
【請求項２１】
装置本体と、
該装置本体の遠位端から延在する複数の固定具駆動装置と、
インプラントと、
該インプラントを担持するフレームと、を具備し、該フレームが、前記装置本体から伸長可能であって且つ当該フレームがつぶれている引っ込められた位置と当該フレームが伸長している使用可能位置との間を前記複数の固定具駆動装置に沿ってガイドされて滑ることができ、前記インプラントが、前記フレームがつぶれているときには弛緩していて、前記フレームが使用可能位置にあるときにはぴんと張っているインプラント送達装置。
【請求項２２】
前記インプラントがメッシュである請求項２１に記載のインプラント送達装置。
【請求項２３】
前記インプラントがグラフトである請求項２１に記載のインプラント送達装置。
【請求項２４】
前記インプラントがフィルムである請求項２１に記載のインプラント送達装置。
【請求項２５】
前記フレームが所望の前記使用可能位置にあるとき、前記固定具駆動装置が固定具を駆動して前記インプラントの中に入れ、それによって前記インプラントを下にある組織に固定する請求項２１に記載のインプラント送達装置。
【請求項２６】
インプラントを担持するように構成された一時的フレームを具備し、該一時的フレームが、引っ込められた位置と使用可能位置との間を選択的に移動することができ、前記インプラントが、前記引っ込められた位置にあって前記一時的フレームに担持されているときには弛緩した状態であり、前記使用可能位置にあって前記一時的フレームに担持されているときにはぴんと張っている医用装置。
【請求項２７】
前記インプラントが、メッシュ、グラフト、フィルムのうちの少なくとも１つを含む請求項２６に記載の医用装置。
【請求項２８】
インプラントをぴんと張った状態で支持するために一時的フレームを使用可能な状態にすることと、
前記インプラントを組織に対して所定の位置に配置することと、
前記インプラントを、該インプラントが前記一時的フレームによってぴんと張った状態で支持されたまま、前記所定の位置で前記組織に固定することと、を含む方法。
【請求項２９】
前記インプラントが、メッシュ、グラフト、フィルムのうちの少なくとも１つを含む請求項２８に記載の方法。
【請求項３０】
前記インプラントを固定した後に前記一時的フレームを引っ込めることをさらに含む請求項２８に記載の方法。
【請求項３１】
前記一時的フレームが形状記憶材料でできている請求項２８に記載の方法。
【請求項３２】
前記形状記憶材料がニチノールである請求項３１に記載の方法。
【請求項３３】
前記固定することが、複数の固定具を同時に駆動して前記インプラントの中に入れることを含む請求項２８に記載の方法。
【請求項３４】
前記複数の固定具を前記インプラントの周辺部に沿って同時に駆動する請求項３３に記載の方法。
【請求項３５】
一時的フレームを用いてインプラントを支持することと、
該一時的フレームと支持されたインプラントとを組織に対して所定の場所に配置することと、
複数の固定具を、該固定具が前記一時的フレームの除去を妨げないように前記インプラントを通じて組織の中に挿入することにより、前記インプラントを前記組織に固定することと、を含む方法。
【請求項３６】
前記固定具を挿入した後に前記一時的フレームを除去する請求項３５に記載の方法。
【請求項３７】
前記インプラントがメッシュである請求項３５に記載の方法。
【請求項３８】
内部チャンバーと組織に孔を開ける鋭い先端部とを有する中空の針と、
該針の前記内部チャンバーの中に配置することのできる外科用インプラントと、
該外科用インプラントを用いて前記針を駆動して前記組織内の所定の位置に入れるように構成されたアクチュエータと、を具備し、前記針が、前記外科用インプラントを前記組織の中に残したまま駆動された位置から引っ込めることができる外科用インプラントの位置決め装置。
【請求項３９】
前記針が１つ以上のスリットを有し、該スリットにより前記針の遠位端が広がることが可能になり、前記針を引っ込めるとき前記外科用インプラントが前記遠位端を通過できる請求項３８に記載の位置決め装置。
【請求項４０】
前記外科用インプラントが、当該外科用インプラントの遠位方向への移動に抵抗するように構成されたフィラメントを備えた遠位部を有する請求項３８に記載の位置決め装置。
【請求項４１】
前記外科用インプラントが、外側にネジ山のある近位部を有する請求項３８に記載の位置決め装置。
【請求項４２】
内側にネジ山のある近位ヘッドと、
前記内側のネジ山と前記外側のネジ山との間の係合によって前記近位ヘッドが前記外科用インプラントの長軸に沿って移動するように、該近位ヘッドを前記外科用インプラントの前記近位部に接続して前記近位ヘッドを前記近位部に対して回転させるように構成されたヘッド駆動装置と、をさらに具備する請求項４１に記載の位置決め装置。
【請求項４３】
近位ヘッドと、
該近位ヘッドを前記外科用インプラントの近位部に接続して前記近位ヘッドを前記外科用インプラントの長軸に沿って移動させるヘッド駆動装置と、をさらに具備する請求項３８に記載の位置決め装置。
【請求項４４】
前記ヘッド駆動装置が前記近位ヘッドから離れた後に、前記近位ヘッドが軸方向の位置を維持する請求項４３に記載の位置決め装置。
【請求項４５】
チューブ状ハウジングをさらに具備し、前記針がそのチューブ状ハウジングの中を通って延びている請求項３８に記載の位置決め装置。
【請求項４６】
前記チューブ状ハウジングがカテーテルである請求項４５に記載の位置決め装置。
【請求項４７】
前記針が、前記チューブ状ハウジングの中を延びる複数の針のうちの１本であり、前記外科用インプラントが、前記複数の針の中に配置できる対応する複数のインプラントのうちの１つである請求項４５に記載の位置決め装置。
【請求項４８】
埋め込み可能なプレートをさらに具備し、該プレートの中を前記複数の針が延びている請求項４７に記載の位置決め装置。
【請求項４９】
前記複数の針に対応する複数の近位ヘッドと、
該近位ヘッドの各々を対応する前記外科用インプラントの近位部に接続し、接続された前記近位ヘッドを対応する前記外科用インプラントの長軸に沿って遠位方向に移動させるヘッド駆動装置をさらに具備する請求項４８に記載の位置決め装置。
【請求項５０】
前記近位ヘッドの駆動によって前記プレートが前記外科用インプラントに対して遠位方向に移動する請求項４９に記載の位置決め装置。
【請求項５１】
前記針に沿って延びるプランジャをさらに具備し、該プランジャは、前記針が引っ込められたときに前記外科用インプラントが前記針とともに引っ込められることを阻止するように構成される請求項３８に記載の位置決め装置。
【請求項５２】
前記針が形状記憶材料でできている請求項３８に記載の位置決め装置。
【請求項５３】
前記形状記憶材料がニチノールである請求項５２に記載の位置決め装置。
【請求項５４】
前記形状記憶材料がバネ鋼である請求項５３に記載の位置決め装置。
【発明の詳細な説明】
【技術分野】
【０００１】
関連する出願の相互参照
本出願は、２０１０年１月２０日に出願されたアメリカ合衆国仮特許出願シリアル番号第６１／２９６，８６８号の恩恵を主張する。この出願に言及することにより、その内容の全体が明示的にこの明細書に組み込まれている。
【０００２】
さらに、以下のそれぞれの出願が、これらの出願に言及することにより、その内容の全体が明示的にこの明細書に組み込まれている：２０１１年１月２０日に出願されたアメリカ合衆国特許出願シリアル番号第  、弁理士ドケット番号第１４８９５／３号；２０１１年１月２０日に出願されたアメリカ合衆国特許出願シリアル番号第  、弁理士ドケット番号第１４８９５／４号；２０１１年１月２０日に出願されたアメリカ合衆国特許出願シリアル番号第  、弁理士ドケット番号第１４８９５／６号。
【０００３】
本発明は、組織修復用インプラントと送達装置と送達方法に関する。
【背景技術】
【０００４】
外科的介入の中には組織の修復（例えば組織を閉じることやグラフトの固定）を必要とするものがある。そのような手続きには、特に挙げるならば、例えば心房中隔欠損（ＡＳＤ）、開存卵円孔（ＰＦＯ）、左心耳閉鎖の治療、ステント・グラフト固定、ヘルニアの修復などが含まれる。
【０００５】
ＡＳＤとＰＦＯは、塞栓性脳卒中の主要な原因のうちの２つであると考えられている。脳卒中はアメリカ合衆国における死因の第３位であり、成人の身体障害の主因の１つである。脳卒中の８０％は予防でき、存在しているＡＳＤとＰＦＯを修復すると脳卒中が減ると予想されている。ＡＳＤとＰＦＯが心臓に存在していると、衰弱症状が起こる可能性がある。酸素を取り除かれた血液は、右心房からＡＳＤ及び／又はＰＦＯを通って左心房の酸素を含む血液の中に入ることができる。全人口のうちで４人に約１人がＰＦＯを有すると見積もられている。脳卒中の原因がわからない人（原因不明の脳卒中）では、ＰＦＯが存在する可能性が４０％大きい。ＰＦＯは、脳卒中になったことのある５５歳未満の人でより一般に見られる。
【０００６】
アメリカ合衆国特許第７，２２０，２６５号には、ＰＦＯを閉じるため、カテーテルをＰＦＯの近くに入れる装置が記載されている。カテーテルは、一次中隔と二次中隔の間に挿入されて左心房の中に入る。次にカテーテルは、左心房の中で第１の閉鎖部材（例えば“引っ掛け用フック要素”）を使用可能な状態にする。次にカテーテルは右心房に引き戻され、その場所で第２の閉鎖部材（例えば第２の引っ掛け用フック要素）を使用可能な状態にする。第１と第２の閉鎖部材は、中央接続部材によって接続されていて、向かい合った２つの閉鎖部材の間で前記中隔組織が互いに圧縮される。アメリカ合衆国特許第７，２２０，２６５号には、複数の縫合糸を用いてＰＦＯを閉じる方法も開示されており、この方法では、埋め込み可能な係留具が、連続した一本の糸の必要性を制限するとされている。アメリカ合衆国特許第７，２２０，２６５号の装置と方法では、右心房と左心房の両方の中で医用装置（例えばカテーテルや縫合針）を操作する必要がある。このため手術が実質的に複雑で困難になる可能性があり、おそらく手術のミスの可能性及び／又は手術の完了までに必要な時間が増大する。
【０００７】
さらに、既存の典型的な係留具は、軟組織を硬組織に接合する構成である。なぜなら軟組織を軟組織に接合する際にたるみを除く方法は存在していないからである。
【発明の概要】
【発明が解決しようとする課題】
【０００８】
そのため操作が簡単で、１つの組織又は複数の組織の一方の側にだけアクセスすればよい閉鎖機構と閉鎖方法が必要とされている。さらに、場所を正確に特定できる信頼性のある閉鎖が必要とされている。
【０００９】
さらに、組織の欠陥の中には、メッシュを埋め込まねばならないものがある（例えば何らかの心臓の欠陥や鼠径ヘルニア）。鼠径ヘルニアの例では、メッシュは、欠陥を通り抜けて腹膜と鼠径管から突起している腹腔の中身に対する障壁を作り出すことを目的としている。このようなヘルニアに対する既知の１つの治療法は、１つの係留具をメッシュ（例えば正方形のメッシュ）に付着させ、次いでメッシュをぴんと引っ張った後、第２の係留具をメッシュに付着させる操作を含んでいる。付着させてぴんと引っ張るこの一連の操作を、メッシュが欠陥の上にしっかりと固定されるまで繰り返す。この方法は、手術コストと時間がかかるが、メッシュが適切に、又は十分にぴんと張った状態にならないリスクがある。すると腹腔の中身が鼠径管を通って突起するのをメッシュが有効に阻止できない可能性がある。
【００１０】
したがって、組織の欠陥を修復するためメッシュを迅速かつ信頼性よく固定できる（例えば複数の固定具を同時に適用できる）埋め込み機構と埋め込み方法も必要とされている。
【００１１】
さらに、手術のコストを減らすとともに解剖学的に到達することの難しい場所にアクセスできる機構と方法が必要とされている。
【課題を解決するための手段】
【００１２】
本発明の実施形態によると、医用装置は、インプラントを担持する一時的フレームを備えていて、その一時的フレームは、引っ込められた位置と使用可能位置の間を選択的に移動でき、インプラントは、フレームによって担持されて引っ込められた位置にあるときには弛緩していて、フレームによって担持されて使用可能位置にあるときにはぴんと張っている。
【００１３】
インプラントは、メッシュ、グラフト、フィルムのうちの少なくとも１つを含むことができる。
【００１４】
本発明の実施形態によると、インプラント送達装置は、装置本体と、インプラントと、装置本体の中を延びていてインプラントを担持するフレームを備えていて、そのフレームは、そのフレームがつぶれている引っ込められた位置と、そのフレームが広がっている伸長位置の間を選択的に移動できる。
【００１５】
インプラントとしてメッシュが可能である。インプラントとしてグラフトが可能である。インプラントとしてフィルムが可能である。
【００１６】
装置は、フレームが伸長位置にあるときにインプラントを患者の組織に固定する固定具駆動装置をさらに備えることができる。
【００１７】
インプラントが組織に固定された後、フレームは、伸長位置から引っ込められた位置まで移動するときにインプラントから離れることができる。
【００１８】
装置は、遠位開口部を有するチューブ状部分を備えることができる。
【００１９】
チューブ状部分としてカテーテルが可能である。
【００２０】
フレームは、引っ込められた位置から伸長位置まで移動するとき、チューブ状部分の遠位開口部を通って遠位方向に移動することができる。
【００２１】
装置は、チューブ状部分を通って延びる複数の固定具駆動装置をさらに備えることができ、その複数の固定具駆動装置のそれぞれは、引っ込められた位置と伸長位置を有する。
【００２２】
複数の固定具駆動装置が伸長位置にあるとき、フレームは、引っ込められた位置から伸長位置まで移動する際にその複数の固定具駆動装置に沿って滑ることができる。
【００２３】
各固定具駆動装置の遠位部は、フレームが伸長位置にあるときにそのフレームを受け入れて保持する湾曲した座部を備えることができる。
【００２４】
各固定具駆動装置は遠位開口部を備えることができ、その遠位開口部を通じてその各固定具駆動装置が固定具を駆動する。
【００２５】
各固定具駆動装置の湾曲した座部は、固定具を駆動することによって固定具駆動装置の遠位開口部を通過させてフレームによって支持されたインプラントの中に入れることのできる位置にそのフレームを保持することができる。
【００２６】
固定具駆動装置は、それぞれの固定具を同時に駆動して、フレームによってぴんと張った状態に保持されているインプラントの中に入れることができる。
【００２７】
各固定具駆動装置の遠位端は、その固定具駆動装置が引っ込められた位置にあるときにはチューブ状部分の長軸に隣接して配置されていて、その固定具駆動装置が遠位方向に移動して伸長位置に到達するときにはチューブ状部分の長軸から径方向外側に延びているようにできる。
【００２８】
フレームは形状記憶合金で構成することができる。フレームはニチノールで構成することができる。フレームはバネ鋼で構成することができる。
【００２９】
本発明の実施形態によると、インプラント送達装置は、装置本体と、その装置本体の遠位端から延びている複数の固定具駆動装置と、インプラントと、そのインプラントを担持するフレームを備えていて、そのフレームは装置本体から伸長可能であって、そのフレームがつぶれている引っ込められた位置と、そのフレームが伸長している使用可能位置（展開位置）の間を、複数の固定具駆動装置に沿ってガイドされて滑ることができ、インプラントは、そのフレームがつぶれているときには弛緩していて、そのフレームが使用可能位置にあるときにはぴんと張っている。
【００３０】
インプラントとしてメッシュが可能である。インプラントとしてグラフトが可能である。インプラントとしてフィルムが可能である。
【００３１】
フレームが所望の使用可能位置にあるとき、固定具駆動装置が固定具を駆動してインプラントの中に入れ、そのことによってそのインプラントを下にある組織に固定する。
【００３２】
本発明の実施形態によると、方法は、一時的フレームを使用可能な状態にしてインプラントをぴんと張った状態で支持するステップと、インプラントを組織に対して所定の位置に配置するステップと、インプラントを、そのインプラントが一時的フレームによってぴんと張った状態で支持されたまま、前記所定の位置で組織に固定するステップを含んでいる。
【００３３】
インプラントは、メッシュ、グラフト、フィルムのうちの少なくとも１つを含むことができる。
【００３４】
方法は、インプラントを固定した後に一時的フレームを引っ込めるステップをさらに含むことができる。
【００３５】
フレームは形状記憶材料で構成することができる。形状記憶材料としてニチノールが可能である。
【００３６】
固定ステップは、複数の固定具を同時に駆動してインプラントの中に入れる操作を含むことができる。
【００３７】
複数の固定具をインプラントの周辺部に沿って同時に駆動することができる。
【００３８】
本発明の実施形態によると、方法は、一時的フレームを用いてインプラントを支持するステップと、その一時的フレームと支持されたインプラントを、組織に対してある場所に配置するステップと、複数の固定具を、その固定具が前記フレームの除去を妨げないように前記インプラントを通じて組織の中に挿入することにより、そのインプラントをその組織に固定するステップを含んでいる。
【００３９】
方法は、固定具を挿入した後に一時的フレームを除去する操作をさらに含むことができる。
【００４０】
インプラントとしてメッシュが可能である。
【００４１】
本発明の実施形態によると、外科用インプラント位置決め装置は、内部チャンバーと組織に孔を開ける鋭い先端部とを有する中空の針と、その針の内部チャンバーの中に配置できる外科用インプラントと、その外科用インプラントを用いて針を駆動して組織内の所定の位置に入れるアクチュエータを備えており、針は、外科用インプラントを組織の中に残したまま駆動された位置から引っ込めることができる。
【００４２】
針は１つ以上のスリットを備えることができ、そのスリットによりその針の遠位端が広がることが可能になり、針を引っ込めるときインプラントが遠位端を通過できる。
【００４３】
インプラントは、そのインプラントの遠位方向への移動に抵抗するフィラメントを有する遠位部を備えることができる。
【００４４】
インプラントは、外側にネジ山のある近位部を備えることができる。
【００４５】
装置は、内側にネジ山のある近位ヘッドと、近位ヘッドをインプラントの近位部に接続してその近位ヘッドをその近位部に対して回転させるヘッド駆動装置をさらに備えることができ、内側のネジ山と外側のネジ山の間の係合によって近位ヘッドがインプラントの長軸に沿って移動する。
【００４６】
装置は、近位ヘッドと、その近位ヘッドをインプラントの近位部に接続してその近位ヘッドをそのインプラントの長軸に沿って移動させるヘッド駆動装置をさらに備えることができる。
【００４７】
ヘッド駆動装置が近位ヘッドから離れた後、その近位ヘッドは軸方向の位置を維持することができる。
【００４８】
装置はチューブ状ハウジングをさらに備えることができ、針がそのチューブ状ハウジングの中を通って延びている。
【００４９】
チューブ状ハウジングとしてカテーテルが可能である。
【００５０】
針として、チューブ状ハウジングの中を延びる複数の針のうちの１本が可能であり、インプラントは、針の中に配置できる対応する複数のインプラントのうちの１つである。
【００５１】
装置は、埋め込み可能なプレートをさらに備えることができ、そのプレートの中を複数の針が延びている。
【００５２】
装置は、複数の針に対応する複数の近位ヘッドと、その近位ヘッドのそれぞれを各インプラントの近位部に接続し、その接続された近位ヘッドを各インプラントの長軸に沿って遠位方向に移動させるヘッド駆動装置をさらに備えることができる。
【００５３】
近位ヘッドの駆動によって前記プレートをインプラントに対して遠位方向に移動させることができる。
【００５４】
装置は、針に沿って延びるプランジャをさらに備えることができ、針が引っ込められたときにインプラントがその針とともに引っ込められることをそのプランジャが阻止する。
【００５５】
針は形状記憶材料で構成することができる。形状記憶材料としてニチノールが可能である。形状記憶材料としてバネ鋼が可能である。
【００５６】
本発明の実施形態によると、カテーテルは遠位開口部を有するハウジングを備えている。カテーテルは、ハウジングに沿って延びる複数の固定用アームを備えていて、その固定用アームは、引っ込められた位置と、固定用アームが径方向に互いに離れている遠位方向に延びた位置の間を移動することができる。固定用アームは、固定具を駆動してその固定用アームの遠位開口部を通過させる。カテーテルは、曲げることのできるフレームと、そのフレームにカップルしていてそのフレームよって支持できるメッシュを備えている。フレームは、伸長した固定用アームに沿って、引っ込められた位置から、メッシュの周辺部が径方向に広がって固定用アームの遠位開口部を超える遠位方向に延びた位置まで移動することができる。そのため固定具を駆動してメッシュの中に入れることができる。
【００５７】
フレームは、形状記憶金属（例えばニチノールやバネ付き鋼）から形成することができる。
【００５８】
本発明の実施形態によると、フレーミング機構は、組織の欠陥の上でメッシュを引っ張ってぴんと張った状態にし、複数の固定具又は係留具を駆動してそのメッシュを通過させて組織の中に入れる。
【００５９】
２つ以上（例えばすべて）の係留具を同時に、又は実質的に同時に駆動することができる。
【００６０】
係留具は複数のセットで駆動することができ、係留具の各セットが、同時に、又は実質的に同時に駆動される。
【００６１】
本発明の実施形態のさらに別の特徴と側面は、添付の図面を参照して以下により詳しく説明する。
【図面の簡単な説明】
【００６２】
【図１Ａ】ヒトの心臓の右心房に挿入されたときのカテーテルを示している。
【図１Ｂ】ヒトの心臓の右心房に挿入されたときのカテーテルを示している。
【図１Ｃ】ヒトの心臓の右心房に挿入されたときのカテーテルを示している。
【図２Ａ】カテーテルの遠位端から固定用アームを伸長させる操作を順番に示している。
【図２Ｂ】カテーテルの遠位端から固定用アームを伸長させる操作を順番に示している。
【図２Ｃ】カテーテルの遠位端から固定用アームを伸長させる操作を順番に示している。
【図３Ａ】フレームとメッシュをカテーテルの遠位端から固定用アームの端部に向かう遠位位置に配備する操作を順番に示している。
【図３Ｂ】フレームとメッシュをカテーテルの遠位端から固定用アームの端部に向かう遠位位置に配備する操作を順番に示している。
【図３Ｃ】フレームとメッシュをカテーテルの遠位端から固定用アームの端部に向かう遠位位置に配備する操作を順番に示している。
【図３Ｄ】フレームとメッシュをカテーテルの遠位端から固定用アームの端部に向かう遠位位置に配備する操作を順番に示している。
【図３Ｅ】フレームとメッシュをカテーテルの遠位端から固定用アームの端部に向かう遠位位置に配備する操作を順番に示している。
【図３Ｆ】フレームとメッシュをカテーテルの遠位端から固定用アームの端部に向かう遠位位置に配備する操作を順番に示している。
【図４Ａ】固定用アームのうちの一本の遠位端部に固定されたフレームを示している。
【図４Ｂ】固定用アームのうちの一本の遠位端部に固定されたフレームを示している。
【図５Ａ】組織内の穴の上にメッシュを配置して固定した後、カテーテルを引っ込める操作を順番に示している。
【図５Ｂ】組織内の穴の上にメッシュを配置して固定した後、カテーテルを引っ込める操作を順番に示している。
【図５Ｃ】組織内の穴の上にメッシュを配置して固定した後、カテーテルを引っ込める操作を順番に示している。
【図５Ｄ】組織内の穴の上にメッシュを配置して固定した後、カテーテルを引っ込める操作を順番に示している。
【図５Ｅ】組織内の穴の上にメッシュを配置して固定した後、カテーテルを引っ込める操作を順番に示している。
【図５Ｆ】組織内の穴の上にメッシュを配置して固定した後、カテーテルを引っ込める操作を順番に示している。
【図６Ａ】メッシュが固定されることになる組織の背面図を示している。
【図６Ｂ】メッシュが固定されることになる組織の背面図を示している。
【図７Ａ】駆動機構からの第１の固定具を駆動して組織の中に入れる操作を順番に示している。
【図７Ｂ】駆動機構からの第１の固定具を駆動して組織の中に入れる操作を順番に示している。
【図７Ｃ】駆動機構からの第１の固定具を駆動して組織の中に入れる操作を順番に示している。
【図７Ｄ】駆動機構からの第１の固定具を駆動して組織の中に入れる操作を順番に示している。
【図７Ｅ】駆動機構からの第１の固定具を駆動して組織の中に入れる操作を順番に示している。
【図７Ｆ】駆動機構からの第１の固定具を駆動して組織の中に入れる操作を順番に示している。
【図８Ａ】駆動機構を再度位置決めした後、第２の固定具を駆動して組織の中に入れる操作を順番に示している。
【図８Ｂ】駆動機構を再度位置決めした後、第２の固定具を駆動して組織の中に入れる操作を順番に示している。
【図８Ｃ】駆動機構を再度位置決めした後、第２の固定具を駆動して組織の中に入れる操作を順番に示している。
【図８Ｄ】駆動機構を再度位置決めした後、第２の固定具を駆動して組織の中に入れる操作を順番に示している。
【図８Ｅ】駆動機構を再度位置決めした後、第２の固定具を駆動して組織の中に入れる操作を順番に示している。
【図８Ｆ】駆動機構を再度位置決めした後、第２の固定具を駆動して組織の中に入れる操作を順番に示している。
【図９Ａ】固定具を組織の中に打ち込む前後のその組織の断面図を示している。
【図９Ｂ】固定具を組織の中に打ち込む前後のその組織の断面図を示している。
【図１０Ａ】駆動機構から第１の固定具を駆動して組織の中に入れる操作を順番に示している。
【図１０Ｂ】駆動機構から第１の固定具を駆動して組織の中に入れる操作を順番に示している。
【図１０Ｃ】駆動機構から第１の固定具を駆動して組織の中に入れる操作を順番に示している。
【図１１Ａ】駆動機構を再度位置決めした後、第２の固定具を組織の中に打ち込む操作を順番に示している。
【図１１Ｂ】駆動機構を再度位置決めした後、第２の固定具を組織の中に打ち込む操作を順番に示している。
【図１２Ａ】固定具を組織の中に打ち込む前後のその組織の断面図を示している。
【図１２Ｂ】固定具を組織の中に打ち込む前後のその組織の断面図を示している。
【図１３Ａ】一本の固定用アームを示している。
【図１３Ｂ】図１３Ａの固定用アームの断面図を示している。
【図１４Ａ】固定具を駆動して組織の中に入れる操作を示している。
【図１４Ｂ】固定具を駆動して組織の中に入れる操作を示している。
【図１４Ｃ】固定具を駆動して組織の中に入れる操作を示している。
【図１５Ａ】第２の固定具を駆動して組織の中に入れる操作を示している。
【図１５Ｂ】第２の固定具を駆動して組織の中に入れる操作を示している。
【図１５Ｃ】第２の固定具を駆動して組織の中に入れる操作を示している。
【図１６Ａ】埋め込み装置のインプラント搬送針又はスリーブを組織の中に挿入する操作を順番に示している。
【図１６Ｂ】埋め込み装置のインプラント搬送針又はスリーブを組織の中に挿入する操作を順番に示している。
【図１６Ｃ】埋め込み装置のインプラント搬送針又はスリーブを組織の中に挿入する操作を順番に示している。
【図１７Ａ】スリーブを組織から引っ込める操作を順番に示すとともに、そのスリーブによって搬送されるインプラントを示している。
【図１７Ｂ】スリーブを組織から引っ込める操作を順番に示すとともに、そのスリーブによって搬送されるインプラントを示している。
【図１７Ｃ】スリーブを組織から引っ込める操作を順番に示すとともに、そのスリーブによって搬送されるインプラントを示している。
【図１７Ｄ】スリーブを組織から引っ込める操作を順番に示すとともに、そのスリーブによって搬送されるインプラントを示している。
【図１８Ａ】以前に挿入したインプラント又は固定具にインプラント用のプレート又はワッシャーを取り付けて固定する操作を順番に示している。
【図１８Ｂ】以前に挿入したインプラント又は固定具にインプラント用のプレート又はワッシャーを取り付けて固定する操作を順番に示している。
【図１８Ｃ】以前に挿入したインプラント又は固定具にインプラント用のプレート又はワッシャーを取り付けて固定する操作を順番に示している。
【図１８Ｄ】以前に挿入したインプラント又は固定具にインプラント用のプレート又はワッシャーを取り付けて固定する操作を順番に示している。
【図１８Ｅ】以前に挿入したインプラント又は固定具にインプラント用のプレート又はワッシャーを取り付けて固定する操作を順番に示している。
【図１８Ｆ】以前に挿入したインプラント又は固定具にインプラント用のプレート又はワッシャーを取り付けて固定する操作を順番に示している。
【図１８Ｇ】以前に挿入したインプラント又は固定具にインプラント用のプレート又はワッシャーを取り付けて固定する操作を順番に示している。
【図１９Ａ】組織の欠陥を修復するために埋め込み装置を使用する操作を順番に示している。
【図１９Ｂ】組織の欠陥を修復するために埋め込み装置を使用する操作を順番に示している。
【図１９Ｃ】組織の欠陥を修復するために埋め込み装置を使用する操作を順番に示している。
【図１９Ｄ】組織の欠陥を修復するために埋め込み装置を使用する操作を順番に示している。
【図２０】２つの外科用インプラントの図である。
【図２１Ａ】駆動機構を備える外科用インプラントの図である。
【図２１Ｂ】駆動機構を備える外科用インプラントの図である。
【図２２】駆動機構を備える外科用インプラントの図である。
【図２３】外科用インプラントの図である。
【図２４】外科用インプラントの図である。
【図２５】外科用インプラントの遠位端部の図である。
【発明を実施するための形態】
【００６３】
図１Ａ〜図１Ｃは、ヒトの心臓９００の右心房９１０に挿入されたときのカテーテル１０００を示している。心臓９００はヒトの心臓だが、ヒト又は他の動物（例えば哺乳動物）の適切な他の臓器にカテーテル１０００でアクセスして手術できることを理解すべきである。カテーテル１０００は、心臓９００の１つ以上の壁部に例えばトロカールによって作った切り込み又は穴を通じて挿入することができる。カテーテル１０００は、遠位端部１００５に向かって曲がった部分又は湾曲した部分を有する。その部分により、カテーテル１０００が心臓９００の壁部の中に入る方向に対して遠位端部１００５を横向きにすることができる。この点に関し、カテーテル１０００は、例えばカテーテル１０００の長さに沿って延びる１本以上のケーブル又はガイド・ワイヤによって操縦することができる。こうすることで、図１Ａ〜図１Ｃに示してあるように、遠位端部１００５を例えば組織の修復すべき部分９０５に対して実質的に垂直な方向な向きにすることができる。組織のこの部分９０５は、心房中隔９１０の組織弁であり、この組織弁によって血液が左心房と右心房の間の心房中隔９１０を通過することができる。例えば図１Ａ〜図１Ｃに示した心臓９００には、心房中隔欠損（ＡＳＤ）がある。
【００６４】
図２Ａ〜図２Ｃは、カテーテル１０００の遠位端から固定用アーム又は固定用指状部１１００を伸長させる操作を順番に示している。ＡＳＤその他の欠陥を修復するため、カテーテル１０００は、遠位端部１１０５を有する複数の固定用アーム１１００を使用可能な状態にする。５本の固定用アームを図示してあるが、任意の数の固定用アーム１１００を用意できることを理解すべきである。図２Ａは、アーム１１００を使用可能な状態にする前のカテーテル１０００を示している。この構成では、カテーテル１０００は身体を通過させて（例えば心臓９００の中で）操作されるのが一般的である。これは、操作中に固定用アーム１１００の遠位端部１１０５が患者の組織を捕獲したり損傷したりするのを防止するのに有効であろう。
【００６５】
図２Ｂは、固定用アーム１１００がカテーテル１０００の遠位端から突起し始めるときの固定用アーム１１００の端部１１０５を示している。この状態では、固定用アームは、カテーテル１０００の長軸に平行又は実質的に平行である。固定用アーム１１００は、図２Ｂに示してあるようにカテーテル１０００の遠位端から突起するため、（例えば実質的に固定された状態に保持できる）カテーテルに対して矢印１００１で示した遠位方向に移動する。
【００６６】
固定用アーム又は伸長アーム１１００がカテーテル１０００の遠位端から遠位方向外側に向かってさらに移動し続けると、その伸長アームは、カテーテル１０００の遠位端部１００５の長軸１００６に対して径方向外側に向かって湾曲し始め、次いでカテーテル１０００の遠位端部１００５の長軸１００６に対して平行又はほぼ平行な状態に戻っていく。したがって伸長アーム１１００は、カテーテル１０００の遠位端から遠位方向に離れていくにつれ、最初は径方向外側に湾曲し、次いで滑らかかつ連続的に曲がって平行又はほぼ平行な方向に戻る滑らかな曲率を有する。この点に関し、固定用アーム１１００は、滑らかなＳ字形をしている。それぞれの固定用アーム１１００について、“Ｓ”字状の輪郭線は、カテーテル１０００の遠位端部１００５の長軸１００６を含む各平面内にある。
【００６７】
固定用アーム又は枝状部材１１００は、形状記憶合金（例えばニチノールやバネ付き鋼）で形成される。この点に関し、伸長アームはバネ力又は形状記憶によって例えば図２Ｃに示した相対的に広がった状態になる。したがって固定用アーム１１００が曲げられてカテーテル１０００の中に引っ込められた状態になっているとき、固定用アームは実質的にカテーテル１０００の長軸に沿って延びていて（例えば固定用アームは、カテーテル１０００がまっすぐである場所ではまっすぐ、又は実質的にまっすぐであり）、しかも可撓性と適応性があるため、望むのであればカテーテル１０００の中で可撓性を持つことができる。その後固定用アーム１１００がカテーテル１０００の端部から遠位方向に前進するにつれて、バネ又は形状記憶力によって所望の広がった状態になる。
【００６８】
固定用アーム１１００は、カテーテル１０００の遠位端部１００５の長軸１００６に対して円周上に等間隔に配置されている。すなわち約７２度互いに離れている（３６０度を５本の固定用アーム１１００で割る）。しかし軸１００６のまわりに適切な任意の規則的な角度間隔、又は不規則な角度間隔で配置してもよいことを認識すべきである。さらに、それぞれの固定用アーム１１００は軸１００６から同じ又は実質的に同じ間隔にされて同じ又は実質的に同じように湾曲しているが、１本以上の固定用アーム１１００の曲率及び／又は間隔を他の固定用アーム１１００の任意の１本以上とは変えてもよいことを認識すべきである。
【００６９】
固定用アーム又はチューブ１１００は中空であるため、例えばシャフト、インプラント、固定具、エレクトロニクス、センサー、駆動機構などをアーム１１００の中に配置することができる。こうすることで、この明細書に記載してあるように例えば固定具をアーム１１００から発射することができる。
【００７０】
図２Ｃを参照すると、固定用アーム１１００は十分に広がった状態にあり、この状態では、遠位端部１１０５はすべて、平行又はほぼ平行になって遠位方向に向かって長手方向に延びている。
【００７１】
固定用アーム１１００が図２Ｃに示した十分に広がった状態になると、例えば形状記憶合金（例えばニチノールやバネ付き鋼）で形成された一時的グラフト／フレーム１２００とメッシュ１３００（例えばコラーゲン、合成メッシュ、それ以外の非浸透性組織インプラント材料）を例えば図３Ａ〜図３Ｆに図示したようにして遠位方向に配備する。これらの図面は、フレーム１２００とメッシュ１３００をカテーテル１０００の遠位端から固定用アーム１１００の端部に向かう遠位位置に配備する様子を順番に示している。メッシュ１３００として、例えば極薄のウシの心膜又は合成グラフトが可能である。フレーム１２００は、そのフレーム１２００がチューブ又はカテーテル１０００の内部に配置されているときに実質的に平坦にされている（すなわちループ部１２１０によって囲まれる領域が最小である）ループ部１２１０を備えている。図３Ａと図３Ｂに示してあるように、フレーム１２００がカテーテル１０００の遠位端を超えて遠位方向に延び始めると、ループ部１２１０は開いて広がり始め、より丸い形になる。そのときメッシュ１３００は、ループ部１２１０の延びた部分に沿って解放可能に固定されている。
【００７２】
図３Ｃと図３Ｄは、メッシュ１３００とループ部１２１０が遠位方向に移動し続けて径方向外側に広がり続けているときのメッシュ１３００とループ部１２１０を示している。例えば図３Ｄと図３Ｅからわかるように、形状記憶ループ部１２１０が径方向外側に広がると、固定用アーム１１００の曲線部と接触してその曲線部に沿って滑るため、ループ部１２１０は遠位方向に向かう。ループ部１２１０が遠位方向に移動するのに合わせ、ループ部１２１０を用いて連続的に形成されるフレーム１２００の延長部１２０５を少しずつ外側に供給することができる。この遠位方向の供給により、フレームを遠位方向で外側に向けやすくなる。フレーム１２００の形状記憶ループ部１２１０は、適切な任意の形状記憶機構（例えばバネ力、及び／又は熱、及び／又は電流の印加）によって開いた状態又は径方向外側を向いた状態にできる。
【００７３】
図３Ｅは、ループ部１２１０が固定用アーム１１００の遠位端に近づくときのループ部１２１０を示している。図３Ｅに示した状態では、ループ部１２１０は、（その形状記憶機構によって）バネのようになって径方向に十分に広がった状態に向かい、ループ部１２１０が径方向にさらに広がらないよう拘束している固定用アーム１１００に径方向外向きの力を及ぼす。この状態では、ループ部１２１０は、図３Ｅに示してあるように周辺部に沿って不規則な曲線形又は波形を持つ。
【００７４】
フレーム１２００を遠位方向にさらに伸長させると、図３Ｆ、図４Ａ、図４Ｂに示してあるように、フレーム１２００のループ部１２１０がそれぞれの固定用アーム１１００の端部リップ又はエッジ１１０８を超えて遠位方向に進むことでループ部１２１０は径方向外側に広がり、それぞれの固定用アームの遠位端で湾曲した保持用指状部１１１０と係合することが可能になる。これは、ループ部１２１０にとって最も外側の位置である。この位置では、湾曲した指状部１１１０は、一部がループ部１２１０のワイヤのまわりに広がってループ部１２１０をその湾曲した指状部１１１０の中の固定位置に拘束する。それぞれの固定用アーム１１００は２つの湾曲した指状部１１１０を備えているが、任意の数の湾曲した指状部１１１０を設けることができる（その中には、単一の湾曲した指状部１１１０が含まれる）。さらに、いくつかの実施形態によれば、固定用アーム１１００のすべてに指状部１１１０が設けられているわけではないことを認識すべきである。
【００７５】
フレーム１２００のループ部１２１０が例えば図３Ｆ、図４Ａ、図４Ｂに示してあるように最も外側の位置にあるとき、ループ部１２１０に取り付けられているメッシュ１３００はループ部１２１０によって径方向に引っ張られ、そのことによってメッシュ１３００は広がった状態、又はぴんと張った状態になる。メッシュ１３００は、十分に広がった状態では、ぴんと張っていて、平坦又は実質的に平坦である。なぜなら組織９００の修復すべき特定の部分は平坦だからである。しかし組織の表面の輪郭が平坦でなかったり不規則だったりする場所では、固定用アーム１１００の遠位端を、例えばメッシュ１３００がぴんと張った状態を相変わらず維持しつつ、メッシュ１３００が組織のその不規則な形状又は面に合うように配置することができる。これは、例えばそれぞれの固定用アーム１１００に関する圧力フィードバック及び／又はビデオ／画像データや組織形状データを利用した例えばコンピュータ制御によって実現できる。
【００７６】
固定用アーム１１００とリング又はループ部１２１０の相対的な形状は、ループ部１２１０が広がって固定用アーム１１００の遠位端においてそれぞれの指状部１１１０と確実に遭遇できるように選択すべきである。さもないとループ部１２１０が指状部１１１０の中にうまく収まらない可能性がある。さらに、ループ部１２１０とメッシュ１３００の形状は、さまざまな用途にとって望ましい適切な任意の形状（例えば楕円形、多角形、それ以外の不規則な形）にしてもよいことを理解すべきである。しかし上に指摘したように、ループ部１２１０の形状と固定用アーム１１００の位置決めは、固定用アーム１１００の遠位端においてループ部１２１０が指状部１１１０の中にうまく収まるように決めねばならない。
【００７７】
例えば図４Ａと図４Ｂからわかるように、フレーム１２００は、固定用アーム１１００のうちの一本の遠位端部１１０５において湾曲した指状部１１１０のうちの２つの中に固定される。この点に関し、ループ部１２１０のワイヤの曲率は、湾曲した指状部１１１０でループ部１２１０と接触する部分の曲率に非常に近いか同じにすることができる。しかし適切な任意の形状にしてループ部１２１０を拘束してもよいことを理解すべきである。しかし指状部１１１０の形状は、ループ部１２１０が固定用アーム１１００の遠位端から遠位方向に離れるのを阻止又は防止するため、ループ部１２１０に対していくらか近位方向を向いた力を及ぼすべきである。
【００７８】
さらに、フレーム１２００のループ部１２１０が最も外側にある、すなわち十分に広がった状態にあるとき、フレーム１２００の延長部１２０５はループ部１２１０から連続的に延びていて、カテーテルの中に入っている。延長部１２０５は、カテーテル１０００の中を適切な任意の長さにわたって延びることができる。例えばカテーテルの全長にわたって延びて、フレーム１２００を遠位方向に前進させる機構及び／又はフレーム１２００の形状記憶の挙動を作動させる機構に到達していてもよい。
【００７９】
図５Ａ〜図５Ｆは、心臓９００の穴９３０の上にメッシュ１３００を配置して固定した後、カテーテル１０００を引っ込める操作を順番に示している。穴９３０は、上記のＡＳＤの開口部や、例えば開存卵円孔（ＰＦＯ）又は鼠径ヘルニアの開口部を表わすことができる。さらに、穴９３０として、メッシュを当てる必要がある任意の臓器の適切な任意の部分が可能である。例えば組織の一部が弱くなっているが貫通している穴は持たない場合、メッシュを当てるとその弱くなった領域が強化される。
【００８０】
メッシュ１３００は、適切な任意の材料（例えばコラーゲンなどの生体適合性材料や合成材料）にすることができる。例えばメッシュ１３００の材料として、生体吸収性材料を選択することができる。そのため時間が経過すると（例えば患者の組織がメッシュ１３００の上に成長した後は）メッシュは患者の体内に完全に吸収される。例えばメッシュはポリグリコール酸（ＰＧＡ）又はＰＧＡコポリマーで形成することができる。メッシュ１３００は、ポリエステル及び／又はナイロン及び／又は他のポリマーで形成することもできる。
【００８１】
図５Ａと図５Ｂに順番に示してあるように、カテーテルは、固定用アーム１１００、フレーム１２００、メッシュ１３００とともに移動し、メッシュ１３００が完全に穴９３０の上に載った状態にされる。この状態では、メッシュ１３００は固定用アーム１１００によって穴９３０の上に平坦な状態及び／又はぴんと張った状態で心臓９００の周囲の組織又はそれ以外の組織に接して保持される。図５Ｂに示した状態において、固定具１４００の第１のセットが同時に適用され、各固定具が各固定用アーム１１００の遠位端から発射される。
【００８２】
フレーム１２００が指状部１１１０の中にうまく収容されると、フレーム１２００のループ部１２１０を、固定具が通過する固定用アーム１１００のアパーチャを超えて径方向に配置することが可能になる。すなわち保持用指状部１１１０が固定用アーム１１００の各遠位開口部を向ける方向は、その開口部を通って発射又は駆動された固定具がメッシュ１３００にぶつかり、リング又はループ１２１０にはぶつからない方向である。したがって固定具は、ワイヤ製フレーム１２００に邪魔されることなく、ぴんと張ったメッシュ１３００に確実に侵入する。
【００８３】
固定具１４００の第１のセットを発射した後、カテーテル１０００の遠位端１００５の長軸１００６のまわりに固定用アーム１１００を（図５Ｃに示した）矢印１０１１の向きに回転させることで、それぞれの固定用アーム１１００を、以前に適用した固定具１４００の各ペアの間に位置させ、次いで固定具１４００の第２のセットを同時に組織の中に発射する。固定具１４００の第２のセットを適用する前に、固定具１４００の隣り合った各ペアの間の角度の半分（すなわち約３６度。これは、５本の固定用アーム１１００の間の約７２度の半分である）だけ固定用アーム１１００を回転又は実質的に回転させる。しかし任意の回転量にしてもよいこと、又は固定用アーム１１００の遠位端同士が十分に近い間隔である場合には、回転させた後に固定具１４００の第２のセットを適用できることを理解すべきである。
【００８４】
固定具１４００の第１のセットを同時に発射し、固定具１４００の第２のセットを同時に発射することは、例えば単一の固定具をメッシュの中に配置した後、メッシュをぴんと引っ張りって追加の固定具を駆動することを繰り返す操作を含む手続きと比べると、時間の節約と合併症の可能性を減らす上で有利である可能性がある。しかし本発明の実施形態の駆動機構により、例えばメッシュ１３００のまわりに順番に発射すること、及び／又は発射を任意の組み合わせ又は順番にすることといった柔軟性が可能になることを理解すべきである。
【００８５】
固定用アーム１１００の回転はカテーテル１０００とメッシュ１３００の両方に対して起こるが、カテーテルがメッシュ１３００に対して固定用アーム１１００とともに回転する構成にしてもよいことを理解すべきである。さらに、図５Ｂに示した状態から図５Ｃに示した状態への回転は反時計回りだが、時計回りの回転にしてもよいことを理解すべきである。さらに、例えば固定具のそれぞれの位置の間の角度が、固定具１４００の隣り合った各ペア間の角度を固定具１４００のセット数で割った値に実質的に等しいかほぼ等しい場合には、３セット以上の固定具１４００を適用することができる。このようにすると、複数の実質的に等間隔になった固定具１４００を順番にセットで適用することができる。
【００８６】
固定具１４００を用いてメッシュ１３００を十分に固定した後、図５Ｄと図５Ｅに順番に示してあるようにフレーム１２００を引っ込めることができる。フレーム１２００は、完全に引っ込められて例えばカテーテル１０００の中に入るまで、ループ部１２１０の周囲に沿ってと延長部１２０５に沿って矢印１０１２で示した時計回りの方向に引っ張られることがわかる。フレーム１２００は、例えばメッシュ１３００の周囲のループを通じてメッシュ１３００に取り付けることができる。そのためフレーム１２００を引っ込めるとそのループから引っ張られ、そのことによってフレーム１２００とメッシュ１３００の間の接続が切れる。
【００８７】
フレーム１２００が十分に引っ込められてメッシュ１３００から離れると、図５Ｆに示してあるように、カテーテル１０００と固定用アーム１１００を近位方向に引っ張り、固定具又はインプラント１４００とその下にある心臓９００の組織の間の係合を通じて穴９３０の上にメッシュ１３００が取り付けられている手術部位から離すことができる。
【００８８】
図６Ａと図６Ｂは、インプラント又は固定具１４００によってメッシュ１３００を固定した組織９００の背面図を示している。固定具１４００が組織９００の裏面を通って侵入したことがわかる。しかし固定具１４００が十分な量の組織と係合してその固定具１４００を固定された状態に維持するのであれば、組織に完全に侵入する必要はないことを理解すべきである。
【００８９】
図７Ａ〜図７Ｆは、第１の固定具１４００を発射又は駆動のための装置又は機構１５００から発射して組織９００（例えば心臓９００）の中に入れる操作を順番に示している。この発射機構１５００は、固定用アーム１１５０のスリーブ１１７０の内部を軸方向に滑ることのできる発射ピン１５１０を備えている。スリーブ１１７０は、そのスリーブ１１７０の残部に対して位置が固定されていて固定具を駆動するのに適した特徴（例えば固定具を収容する穴と、遠位壁部１１７５と、カム又は傾斜部１１８０）を備えている。しかしこれらの特徴のうちの１つ以上がスリーブ１１７０の他の部分に対して移動可能になっていてもよいことを認識すべきである。
【００９０】
固定用アーム１１５０は、固定用アーム１１００と特徴を共有しているが、湾曲した指状部１１１０がない点が異なっている。したがって固定具１４００を固定用アーム１１５０から駆動／発射するための上記の機構は、固定用アーム１１００の場合と実質的に同じである。さらに、この固定具駆動機構は、異なる構成で使用すること、例えばカテーテル１０００と同様にカテーテルとして操作できる単一の固定用アーム１１５０を備える構成で使用することができる。
【００９１】
発射ピン１５１０は、バネ１５２０の近位端に取り付けられていてその近位端と係合するヘッド１５１５を備えている。バネ１５２０の遠位端は、スリーブ１１７０の遠位壁部１１７５と係合した状態でその遠位壁部に取り付けられている。遠位壁部１１７５はアパーチャを備えていて、図７Ａに示した位置にあるときに遠位発射部１５２５が延びてそのアパーチャを通過する。
【００９２】
ループの形状になった第１のフック要素１５３０が、発射ピン１５１０のヘッドから近位方向に延びている。例えば図７Ａと図７Ｂに示してあるように、第１のフック要素１５３０は、トリガー要素１５４０の第２のフック要素１５３５に解放可能に係合している。トリガー要素１５４０は、発射用のシャフト又はケーブル１５４５に接続されている。発射用ケーブル１５４５は、可撓性があってもよいし、堅固でもよいし、可撓性のある部分と堅固な部分の組み合わせでもよい。トリガー要素１５４０は、ピボット式接続部１５５０の位置で発射用ケーブル１５４５に回転可能に取り付けられている。シャフト又はケーブル１５４５の遠位端は、ピボット式接続部１５５０の両側を支持するＵリンクを備えている。
【００９３】
図７Ａに示した状態では、発射ピン１５１０とバネ１５２０は待機状態にある。すなわちバネ１５２０は、軸方向の圧縮力も引っ張り力もまったく受けていないか、実質的にほとんど受けていない。発射用ケーブル１５４５によって発射ピン１５１０が第１のフック要素１５３０と第２のフック要素１５３５の間の係合を通じて（図７Ｂに矢印１１５２で示した）近位方向に引っ張られると、バネ１５２０は引っ張られて軸方向に延びるため、張力バネとして作用して発射ピン１５１０に軸方向で遠位方向に向かうバネ力を加える。しかし図７Ａに示した初期位置においてバネをすでにいくらか張力を受けた状態にできること、すなわち発射ピン１５１０の待機状態を図７Ａに示した初期位置よりも遠位にできることを理解すべきである。
【００９４】
図７Ｃと図７Ｄに示してあるように、発射ピン１５１０は、トリガー要素１５４０の近位部（すなわちピボット式接続部１５５０に対して近位側の部分）が、スリーブ１１７０に対して軸方向に固定されるか実質的に固定されたカム又は傾斜部１１８０と接触してその部分に沿って滑るようになるまで、近位方向にさらに引っ張られる（その結果としてバネ１５２０はさらに引き伸ばされ、発射ピン１５１０に遠位方向を向いたより大きな軸方向力を及ぼす）。すると図７Ｄに示してあるように、第２のフック要素１５３５が軸回転して第１のフック要素１５３０から離れるまでトリガー要素１５４０がピボット式接続部１５５０のまわりを回転し、発射ピン１５１０を解放する。そのため発射ピン１５１０は、バネ１５２０の中にたまった張力（すなわち蓄えられたエネルギーの解放）が原因で図７Ｅに矢印１１５１で示した遠位方向に素早く前進し、図７Ｅに示した遠位方向に十分に伸長した位置に到達する。
【００９５】
発射ピン１５１０が図７Ｄの十分に引っ込められた位置と図７Ｅの十分に伸長した位置の間を移動するとき、発射ピン１５１０の発射部１５２５の遠位端は、インプラント又は固定具１４００の最も近位側にある近位面又は近位ヘッド１４０５にぶつかって運動量を与える。最も近位側の固定具１４００とその遠位側に隣り合っている固定具１４００は軸方向につながっている（すなわち近位固定具１４００の遠位部又は遠位面が、遠位固定具１４００の近位部又は近位面と接触している）ため、力と運動量は遠位固定具１４００にも与えられ、そのことにより、例えば図７Ｅに示してあるように、遠位固定具１４００は固定用アーム１１５０の遠位端から外側に向けて発射される。発射された遠位固定具１４００の運動量によってその遠位固定具１４００は組織９００の中に入る。固定具１４００は素早く発射されるため、上記の固定具１００、２００、３００、５００、７００と多くの特徴を共有する固定具１４００は、組織９００に孔を開けて内部まで十分に延びる。さもないと固定具１４００の先端部が組織を遠位方向に押すだけで十分に遠位方向に侵入しない可能性がある。
【００９６】
バネ１５２０のサイズ、バネ定数、移動距離と、発射ピン及び固定具１４００の相対質量は、発射速度が最適になるように選択することができる。発射ピンが近位方向に移動するときバネ１５２０は発射ピンに張力を及ぼすが、バネ１５２０は、近位方向に移動するときには圧縮され、発射ピンが待機位置を超えて遠位方向に移動するときには伸長できるようにしてもよいことを理解すべきである。さらに、２つ以上のバネを設け、そのうちの１つ以上を引っ張られた状態にし、他のバネを圧縮された状態にすることができる。
【００９７】
図７Ｆに示してあるように、発射ピン１５１０とバネ１５２０は、近位方向に移動して待機位置に戻っている。この点に関し、固定具１４００の発射は、パチンコ台の発射機構といくらか似ている。発射ピン１５１０は十分に引っ込められた位置から十分に伸長した位置まで移動するため、待機位置を通過し、そのことによって圧縮状態に入ることに注意されたい。発射ピン１５１０を十分に伸長した位置から図７Ｆに示した待機位置に向けて戻すのは、バネ１５２０のこの圧縮力である。
【００９８】
遠位インプラント又は遠位固定具１４００が発射されている間に、近位固定具１４００は、遠位固定具１４００が発射される前に位置していた位置に移動する。遠位固定具を適切な任意の機構（例えば摩擦や解放可能な発射機構）によって発射している間は近位固定具１４００が固定用アーム１１５０の遠位端から出ないようにすることができる。例えば近位固定具１４００を発射させるため、スリーブ１１７０は、発射機構１５００に付随するあらゆる部品（例えばスリーブ１１７０の遠位壁部１１７５とカム又は傾斜部１１８０、バネ１５２０、発射ピン１５１０、フック要素１５３０、トリガー要素１５４０、フック要素１５４５）とともに固定具１４００のほぼ全長に沿って遠位方向に移動する。
【００９９】
図８Ａ〜図８Ｆは、駆動機構の再位置決めと、第２のインプラント又は固定具１４００を発射して組織の中に入れる操作を順番に示している。スリーブ１１７０と発射機構１５００に付随する部品の遠位方向への移動を図８Ａと図８Ｂに順番に示してある。図８Ａと図８Ｂに示したそれぞれの初期位置において、発射ピン１５１０の遠位部１５２５が近位固定具１４００の近位ヘッド１４０５に直接接触していることに注意されたい。しかし発射ピン１５１０と近位固定具１４００は、初期位置で互いに離れていてもよいことを理解すべきである。そのような構成では、発射中の発射ピン１５１０の前向きすなわち遠位方向の運動量によって発射ピン１５１０は初期位置を超えて遠位方向に移動し、近位固定具１４００と接触することになろう。
【０１００】
スリーブ１１７０と発射機構の他の部品が固定用アーム１１５０に対して遠位方向に移動することに加え、トリガー要素１５４０がスリーブ１１７０に対して遠位方向に移動するため、例えば図８Ａに示してあるように第２のフック要素１５３５が再び第１のフック要素１５３０と解放可能に係合する。その目的で第２のフック要素１５３５は、その第２のフック要素１５３５と第１のフック要素１５３０が一緒になって移動するとき第１のフック要素１５３０と接触してその第１のフック要素１５３０に沿って滑る傾斜した遠位面を備えている。この接触と滑りによってトリガー要素１５４０がピボット式接続部１５５０のまわりを回転することで、第１のフック要素１５３０が第２のフック要素１５３５から離れることが可能になる。トリガー要素１５４０の回転位置は、図７Ｆに示したトリガー要素１５４０の回転位置と同じかほぼ同じである。第２のフック要素１５３５を第１のフック要素１５３０のほうに（及び／又はその逆）さらに移動させると、トリガー要素１５４０は回転して例えば図８Ａに示した位置に戻ることができる。そのとき第１のフック要素１５３０は第２のフック要素１５３５によって捕獲されるか第２のフック要素１５３５と係合し、再び解放可能な状態で引っ掛かるかロックされた構成になる。トリガー要素１５４０は、例えばバネの力によって例えば図８Ａに示した回転位置に向かうことができる。
【０１０１】
第２の固定具又は近位固定具１４００を発射する前に、固定用アーム１１５０を例えば図８Ｃに示したように再度位置決めする。この再位置決めは、例えば図５Ｂと図５Ｃに順番に示した再位置決めに対応するであろう。
【０１０２】
次に、近位インプラント又は近位固定具１４００は、遠位固定具１４００に関して上に説明したのと同様にして発射される。特に図８Ｃと図８Ｄに順番に示してあるように、発射ピン１５１０は、発射用ケーブル１５４５により、第１のフック要素１５３０と第２のフック要素１５３５の間の係合を通じて矢印１１５２で示した近位方向に引っ張られる。したがってバネ１５２０は引っ張られて軸方向に引き伸ばされるため、張力バネとして機能し、発射ピン１５１０に軸に沿って遠位方向に向かうバネ力を及ぼす。図８Ｄに示してあるように、発射ピン１５１０を近位方向に引っ張ってトリガー要素１５４０の近位部（すなわちピボット式接続部１５５０に近い部分）をカム又は傾斜部１１８０と接触させ、さらにそのカム又は傾斜部１１８０に沿って滑らせる。発射ピン１５１０をさらに近位方向に引っ張るとトリガー要素１５４０がピボット式接続部１５５０のまわりを回転することで、第２のフック要素１５３５が軸回転して第１のフック要素１５３０から離れ、発射ピン１５１０が解放される。そのため発射ピン１５１０は、バネ１５２０の中に蓄えられた張力によって図８Ｅに矢印１１５１で示した遠位方向に再び迅速に前進し、図８Ｅに示した十分に遠位方向に伸長した位置に到達する。上に指摘したように、カム又は傾斜部１１８０はスリーブ１１７０に対して軸方向に固定又は実質的に固定されているため、トリガー前にバネが引っ張られる距離は実質的に一定であり、そのことによってチューブと駆動部品の軸方向の位置に関係なく一定のバネ力が提供される。しかしバネが引っ張られる距離が変化する構成にしてもよいことを理解すべきである。
【０１０３】
発射ピン１５１０が、十分に引っ込められた位置から図８Ｅの十分に伸長した位置に移動するとき、発射ピン１５１０の遠位端又は発射部１５２５は、近位固定具１４００の近位面又は近位ヘッド１４０５にぶつかって運動量を与える。近位固定具１４００に与えられる力と運動量により、近位固定具１４００は、例えば図８Ｆに示してあるように固定用アーム１１５０の遠位端から外側に向かって発射される。発射された近位固定具１４００の運動量によって近位固定具１４００は組織９００の中に入る。遠位固定具１４００の発射と同様、近位固定具１４００は迅速に放出されるため、近位固定具１４００が組織９００を押すだけで遠位方向に十分に侵入しないことはなく、組織９００に孔を開けて十分に中に入ることが保証される。
【０１０４】
固定具１４００の近位ヘッド１４０５は、発射ピン１５１０の遠位部１５２５と合致する凹部１４１０を備えている（例えば図８Ｆに図示）。この点に関し、凹部１４１０は、相補的な形状（例えば丸くなった形状、及び／又は多角形、及び／又は同様のサイズ）にすることができる。凹部は、ぶつかるときに発射ピン１５１０の遠位部１５２５が径方向で適切な位置にあることを維持するとともに、近位ヘッド１４０５の近位面に沿ってそれる可能性を小さくするのに役立つ。こうすることで、運動量と力が発射ピン１５１０からインプラント又は固定具１４００に適切に伝わることが保証される。さらに、凹部１４１０は、インプラント又は固定具１４００の遠位端部１４１５（例えば図９Ａと図９Ｂに図示）と相補的な形状（例えば丸くなった形状、及び／又は多角形、及び／又は同様のサイズ）にすることができる。したがって２つ以上の固定具１４００が例えば図７Ａに示したように端部同士を突き合わせて配置されるとき、近位固定具の遠位端部１４１５は隣の遠位固定具１４００の凹部１４１０と係合して嵌まり、以下同様になる。さらに、形状は、２つ以上の隣り合った固定具１４００を互いに固定することで、各固定具１４００が隣りの固定具１４００に対して回転することを阻止するか回転範囲を制限するように選択できる。
【０１０５】
図９Ａと図９Ｂは、インプラント又は固定具１４００を組織９００の中に発射する前と後の組織９００の断面を示している。固定具１４００の遠位端部１４１５は、上に固定具１００、２００、３００、５００、７００に関して説明したように鋭く（すなわち針様に）なっている。そのためインプラント又は固定具１４００が最初に組織に孔を開けるときに組織９００の中に侵入しやすく、その組織の中を前進し続ける。固定具１４００は、例えば固定具１００、２００のフィラメント１１５、２１５と同様に機能する複数の歯１４２０を周辺部に備えている。これについては以下により詳しく説明する。この点に関し、それぞれの歯１４２０の遠位面は近位方向に向かって傾斜しているため、固定具１４００が組織９００の中を遠位方向に前進するとき、歯１４２０は隣接している組織９００に沿って遠位方向に移動又は滑動しやすい。しかし近位面は平坦である。あるいは近位面も近位傾斜面を持っている。こうすることで、固定具が近位方向に移動するとき、歯１４２０の径方向外側部分が隣接している組織９００を捕捉するかその中に食い込みやすくすることができる。したがって歯１４２０は、フィラメント１１５、２１５と同様、固定具１４００を挿入された遠位位置に固定する機能を持つ。これについては以下により詳しく説明する。歯１４２０は一定の直径を持つが、異なる直径の歯１４２０（例えば遠位方向及び／又は近位方向に向かってテーパ状になった歯１４２０のセット）を設けてもよいことを理解すべきである。さらに、歯１４２０は丸い必要はなく、適切な任意の断面形状にすることができる。
【０１０６】
過剰な挿入を阻止又は防止するため、ヘッド部１４０５の遠位面も平坦又は実質的に平坦にしてヘッド部１４０５が組織９００の中に侵入するときに抵抗を受けるようにする。ヘッド部１４０５には、遠位方向に向かって傾斜した遠位面、すなわち凹形遠位面を設けることができる。この遠位面により、組織９００の中へのヘッド部１４０５の挿入及び／又は侵入にさらに抵抗することができる。
【０１０７】
図９Ａと図９Ｂは、組織９００に完全に侵入する、すなわち組織９００の背面に侵入する固定具１４００を示しているが、固定具１４００は、組織の一部を貫通するほど延びていなくてもよいことを認識すべきである。さらに、図７Ａ〜図９Ｂの駆動又は発射するための装置又は機構では、上記のインプラント又は固定具１００、２００、３００、５００、７００、又は適切な他の任意のインプラント又は固定具を利用できることを理解すべきである。
【０１０８】
所望の固定具１４００をすべて駆動した後、固定用アーム１１５０を挿入部位から引っ込めることができる。
【０１０９】
図１０Ａ〜図１０Ｃは、第１のインプラント又は固定具１６００を駆動機構１７００から駆動して組織９００の中に入れる操作を順番に示している。駆動機構１７００は、固定用アーム１１５０の中に配置されている。この点に関し、駆動機構１７００は、ある固定用アーム１１５０に関して上に説明した駆動機構１５００と取り替えることができるため、１つの医用装置が多機能になる。
【０１１０】
図１０Ａに示してあるように、固定用アーム１１５０を操作して組織９００の近くのある場所まで来させる。その場所は、端部同士を突き合わせた２つの固定具１６００のうちの遠位インプラント又は遠位固定具１６００を駆動することになる場所である。遠位固定具１６００を駆動する前は、遠位先端部１６１５の先端部が図１０Ａに示した位置で組織９００と接触していてもいなくてもよい。同じことが、固定具１００、２００、３００、５００、７００、１４００、又はこの明細書に記載した他の任意のインプラント又は固定具を駆動するための上記の構成に当てはまる。固定用アーム１１５０を図１０Ａに示した位置にした後、遠位固定具１６００を駆動して組織９００の中に入れる。
【０１１１】
固定具１６００を駆動して組織９００の中に入れるため、駆動機構１７００は、固定用アーム１１５０の長さに沿って軸方向に延びる駆動用シャフト１７１０を備えている。駆動用シャフト１７１０は、近位に位置するアクチュエータ（例えば手で保持する装置の電動モータ）からの回転力を固定具１６００に伝える一方で、固定具１６００が固定用アーム１１５０の長軸に沿って前進するときに遠位方向に進んでもいく。したがって駆動用シャフト１７１０は、固定具１６００とともに矢印１１５１で示した遠位方向に同時に移動し、固定用アーム１１５０と駆動用シャフト１７１０の長軸のまわりを回転する。回転方向は矢印１１５３で示してある。固定具１６００を駆動するには、それらの固定具を時計回り又は反時計回りに回転させること、しかも異なる固定具１６００が同じシステムの中で異なるそれぞれの方向に回転する必要があることを理解すべきである。
【０１１２】
遠位インプラント又は遠位固定具１６００が回転して遠位方向に前進するにつれ、例えば図１０Ｂに示してあるように先端部が最初に組織に接触してその組織に孔を開け、次いで外側のネジ山１６２０が組織と係合する。遠位方向の前進速度と回転速度は、例えばネジ山１６２０のサイズとピッチに対応する。ネジ山１６２０が組織と係合すると、ネジ山１６２０がさらに回転することで、組織９００を遠位方向に押すことを阻止又は防止しながら固定具１６００を引っ張ってその固定具が組織９００を通過するのを助ける。
【０１１３】
駆動用シャフト１７１０からの回転と回転力を近位インプラント又は近位固定具１６００に伝えるため、近位ヘッド１６０５は、駆動用シャフト１７１０の遠位端部又は駆動用ヘッド１７１５の断面形状に合っていて駆動用シャフト１７１０に対する近位固定具１６００の回転を阻止又は実質的に阻止する凹部１６１０を備えている。したがって駆動用シャフト１７１０の駆動用ヘッド１７１５を凹部１６１０に挿入すると、近位固定具１６００が回転するための駆動インターフェイスが提供される。同様に、１つの固定具１６００から隣の固定具１６００に回転と回転力を伝えるため、固定具１６００は、やはり凹部１６１０に合った形状になっていて回転を阻止又は実質的に阻止する遠位端部１６１５を備えている。したがって図１０Ａ〜図１０Ｃに示した構成では、駆動用シャフト１７１０は近位固定具１６００の凹部１６１０と係合し、近位固定具の遠位端部１６１５は遠位固定具１６００の凹部１６１０と係合することで、駆動用シャフト１７１０からの回転と回転力を近位固定具１６００と遠位固定具１６００の両方に伝える。
【０１１４】
さらに、駆動用ヘッド１７１５が近位固定具１６００の凹部１６１０と係合し、近位固定具の遠位端部１６１５が遠位固定具１６００の凹部１６１０と係合することで遠位駆動インターフェイスも提供され、そのことによって駆動用シャフト１７１０が遠位方向に移動すると近位固定具１６００と遠位固定具１６００の両方が遠位方向に移動する。
【０１１５】
凹部１６１０、遠位端部１６１５、駆動ヘッド１７１５はすべて、対応する長方形の断面を有するが、他の適切な係合形状又は係合機構を用意してもよいことを理解すべきである。
【０１１６】
図１０Ｃは、遠位インプラント又は遠位固定具１６００が十分に挿入された位置を示している。この段階で固定用アーム１１５０は近位方向に移動し、（固定用アーム１１５０にカップルしたままの）近位固定具１６００の遠位端部１６１５を遠位固定具１６００の凹部１６１０から離す。次に、図１１Ａに示してあるように固定用アーム１１５０の再位置決めを行なって第２の固定位置にする。この再位置決めは、例えば図５Ｂと図５Ｃに順番に示した再位置決めに対応するであろう。
【０１１７】
図１１Ｂに示してあるように、次に、遠位固定具１６００に関して上に説明したのと同様にして近位固定具１６００を駆動する。しかし近位固定具１６００の駆動は、駆動用シャフト１７１０が近位固定具１６００を直接駆動し（すなわち直接回転させて遠位方向に並進させ）、中間の固定具１６００を通じた回転の伝達と遠位方向の並進はないという点で、遠位固定具１６００の駆動とは異なっている。
【０１１８】
図１２Ａと図１２Ｂは、固定具１６００を組織９００の中に発射する前と後の組織９００の断面を示している。固定具１６００の遠位端部１６１５は、上に固定具１００、２００、３００、５００、７００、１４００に関して説明したように鋭く（すなわち針様に）なっている。そのため固定具１６００が最初に組織に孔を開けるときに組織９００の中に侵入しやすく、その組織の中を前進し続ける。上に指摘したように、固定具１６００は、その固定具１６００が組織９００の中に侵入するのを助けるネジ山１６２０を備えている。さらに、ネジ山１６２０は、固定具１６００を、挿入された遠位位置に固定する機能を有する。さらに、固定具１６００には逆ネジ山を設け、固定具１６００を設置したときの方向とは逆方向の回転が原因で固定具１６００が戻るのを阻止しやすくすることができる。ネジ山１６２０は一定の直径とピッチを持っているが、一定でない直径とピッチを持つネジ山１６２０（例えば遠位方向／近位方向に向かってテーパ状になったネジ山１６２０）を設けてもよいことを理解すべきである。
【０１１９】
過剰な挿入を阻止又は防止するため、ヘッド部１６０５の遠位面を平坦又は実質的に平坦にしてヘッド部１６０５が組織９００の中に侵入するときに抵抗を受けるようにする。ヘッド部１６０５には、遠位方向に向かって傾斜した遠位面、すなわち凹形遠位面を設けることができる。この遠位面により、組織９００の中へのヘッド部１６０５の挿入及び／又は侵入にさらに抵抗することができる。
【０１２０】
図１２Ａと図１２Ｂは、組織９００に完全に侵入する、すなわち組織９００の背面に侵入する固定具１６００を示しているが、固定具１６００は、組織の一部を貫通するほど延びていなくてもよいことを認識すべきである。
【０１２１】
所望の固定具１６００をすべて駆動した後、固定用アーム１１５０を手術部位から引っ込めることができる。
【０１２２】
図７Ａ〜図１２Ｂに示した駆動装置は、図２１Ａ〜図２２に関してあとで説明する駆動装置やこの明細書に記載する他の任意の駆動装置と同様、インプラントを駆動して一方の側だけから組織の中に入れることができるため、組織の反対側にアクセスする必要がない。こうすると手術が簡単になり、例えば手術者のエラーや、ツールを操作して組織の反対の第２の側にアクセスすることで生じる可能性のある他の合併症のリスクを最小にするのに役立つ可能性がある。図７Ａ〜図９Ｂの駆動装置を参照すると、組織の第２の側にアクセスするツールの必要性は、インプラント１４００に十分な速度と運動量を与えるとともに、尖った針様の先端部と、インプラント１４００のテーパ状前部を組み合わせることによってなくなる。インプラントは、５０ｍ／秒よりも大きな速度で駆動することが好ましく、５０〜３５０ｍ／秒の範囲で駆動することがより好ましく、３５０ｍ／秒で駆動することが最も好ましい。しかしインプラントは、組織に孔を開けるのに十分な適切な任意の速度で駆動してよいことを理解すべきである。
【０１２３】
図１０Ａ〜図１２Ｂの駆動装置を参照すると、組織の第２の側にアクセスするツールの必要性は、最初にインプラント１６００の尖った針様の先端部を用いて組織に孔を開けた後、インプラント１６００のネジ山１６２０を組織と係合させ、インプラント１６００を遠位方向に前進させているときにネジ山１６２０が回転することによってなくなる。
【０１２４】
例えば図７Ａ〜図１２Ｂに示した駆動装置又は駆動機構は２つのインプラント又は固定具１４００、１６００を発射する構成だが、駆動機構は適切な任意の数のインプラント１４００、１６００（その中には、３つ以上のインプラント１４００、１６００、又は単一のインプラント１４００、１６００が含まれる）を発射する構成にできることを理解すべきである。
【０１２５】
さらに、この明細書に記載した駆動機構は、適切な任意の方法で作動させることができる。例えば電気機械的作動法及び／又は手でパワーを与える作動法などがある。
【０１２６】
固定具１４００、１６００は、固定具１００、２００、３００、５００、７００と同様、例えば個々の手術に応じて患者の体内に吸収されるように、又は吸収されないようにすることができる。
【０１２７】
図１３Ａは、例えば図３Ａに示したような固定用アーム１１００のうちの１つを示しており、この固定用アーム１１００は湾曲した指状部１１００を備えている。図１３Ｂは、図１３Ａの固定用アーム１１００の断面図である。図１３Ｂに示してあるように、固定用アーム１１００のハウジングは、インプラント又は固定具１００を収容している。ハウジングは図２０にも示してあり、図２０に関連してより詳しく説明する。
【０１２８】
固定用アーム１１００をやはり断面図で示した図１４Ａと図１４Ｂからわかるように、固定用アーム１１００は、２つのインプラント又は固定具１００を収容している。図１４Ａと図１４Ｂは、遠位固定具１００を駆動して組織９００の中に入れる操作を順番に示している。図１４Ａを参照すると、固定用アーム１１００の遠位端は、組織９００と接触する位置、又は組織９００に近い位置にある。この位置では、遠位固定具１００の遠位先端部１１０は、組織９００と接触するか、組織９００の近くにある。
【０１２９】
固定具１１００を駆動して組織９００の中に入れるため、駆動機構１９００は、遠位ヘッド１９０５に接続されたネジ山付き押し棒１９０５を備えている。押し棒１９０５が、例えば内側にネジ山のある駆動装置を外側にネジ山のある押し棒１９０５に対して回転させることによって遠位方向に押されると、遠位ヘッド１９０５も遠位方向に押される。遠位ヘッド１９１０と近位固定具１００の近位ヘッド１２５の間の接触によって近位固定具１００も遠位方向に押される。さらに、近位固定具１００の先端部１１０の領域にある遠位部は、遠位固定具１００の近位ヘッド１２５と接触する。この接触によって近位固定具１００が遠位固定具１００を遠位方向に押す遠位方向の運動が起こる。そのため遠位ヘッド１９１０が遠位方向に移動することによって近位固定具１００と遠位固定具１００の両方が押される。このようにして、図１４Ｂに示してあるように、遠位固定具１００が駆動されて組織９００の中に入る。
【０１３０】
押し棒１９０５はネジ山付きシリンダだが、ネジ山なしの押し棒及び／又は非円形の押し棒にしてもよいことを認識すべきである。さらに、押し棒は適切な任意の機構によって遠位方向に作動させてもよい。
【０１３１】
図１４Ｃは、組織９００の断面と、組織９００の厚みを貫通して延びる固定具１００を示している。固定具１００は、近位ヘッド１２５が組織９００の外面と接触するまで遠位方向に駆動される。したがって固定具１００をさらに遠位方向に移動させると近位ヘッド１２５の抵抗を受けるのに対し、近位方向の移動は、係留用フィラメント１１５が近位方向に向かって傾斜していることによって抵抗を受ける。
【０１３２】
遠位固定具１００を駆動している間に、近位固定具１００の先端部１１０は、遠位固定具１００の近位ヘッド１２５の凹部１４５（例えば図１５Ａに図示）の中に入る。針様の先端部１１０が損傷することを阻止するため、凹部は、近位固定具１００と遠位固定具の近位ヘッド１２５の間の負荷を伴った接触が、近位固定具１００の先端部１１０に近い位置（例えば近位固定具１００の遠位テーパ部にあってより脆弱な先端部１１０の近く又は後方の位置にある環状接触領域）で起こるような形状にすることができる。これは、例えば凹部１４５の深さを凹部１４５の開口部のサイズと比べて十分に大きくすることによって実現できる。さらに、開口部のエッジを丸くするか面取りすることで、操作中に固定具１００が損傷するあらゆる機会をさらに少なくできる。この明細書に記載した端部同士を突き合わせた固定具の別の構成に同様の特徴が含まれていてもよい。
【０１３３】
図１５Ａ〜図１５Ｃは、固定用アーム１１００の再位置決めと、近位固定具１００を駆動して組織９００の中に入れる操作を示している。固定用アーム１１００の再位置決めは、例えば図５Ｂと図５Ｃに順番に示した再位置決めに対応するであろう。近位固定具１００は、遠位固定具１００を駆動している間に遠位方向に移動するため、今や固定用アーム１１００の遠位端の位置（例えば遠位固定具１００が駆動される前に存在していたのと同じか実質的に同じ位置）にある。
【０１３４】
図１５Ａに示したように再位置決めがなされると、押し棒１９０５と遠位ヘッド１９１０は、図１５Ｂに示してあるように、近位固定具１００が駆動されて組織９００の中に入るまで前方に、すなわち遠位方向に押される。すべての固定具が駆動されると、固定用アーム１１００は、図１５Ｃに示したように引っ込められる。
【０１３５】
図１３Ａ〜図１５Ｃに示した固定用アーム１１００は２つの固定具を収容して駆動するが、任意の数の固定具１００（その中には単一の固定具１００や３つ以上の固定具１００が含まれる）を設け、上に説明したのと同様にして駆動することができる。
【０１３６】
図１６Ａ〜図１６Ｃは、カテーテル又は埋め込み装置２０００のインプラント搬送針又はスリーブ２１００を組織９００の中に挿入する操作を順番に示している。図１６Ａに示してあるように、埋め込み装置２０００を（例えば操縦用ケーブルを通じて）操作し、修復すべき組織９００に隣接する位置に来させる。
【０１３７】
それぞれのインプラント搬送針２１００は、遠位から近位に向かって、プレート又はワッシャー２２００、それぞれのヘッド又はナット２２５（インプラント又は固定具２００に関してあとでより詳しく説明する）、それぞれのナット駆動装置２３００を順番に通過して長手方向に延びている。それぞれのインプラント搬送針２１００は、カテーテル又は埋め込み装置２０００の中に収容されているそれぞれのスリーブ又はチューブ２４００の中をそのチューブに沿って長手方向に延びてもいる。図１６Ａに示した位置では、これらの部品のすべてが、ハウジング２００１（例えばカテーテルのハウジング）によって規定される内部空間の中に配置されている。
【０１３８】
針２１００は、例えば形状記憶材料（例えばニチノールやバネ付き鋼）で形成することができる。
【０１３９】
それぞれの針２１００の遠位部２１１０は、インプラント又は固定具２００（ヘッド又はナット２２５を除く）を収容している。これについては、図２０に関連してあとで詳しく説明する。
【０１４０】
図１６Ｂに示してあるように、インプラント搬送針２１００は、遠位針様先端部２１０５がハウジング２００１の遠位端２００５を超えて延びて組織９００と接触して孔を開けるまで、ハウジング２００１と組織９００に対して遠位方向に移動する。針を進ませるのに必要な圧力は、適切な任意の圧力検知機構を利用して感知することができ、その圧力は、例えば埋め込み装置がカップルしているハンドピース内のコンピュータ制御システムに伝えられる。さらに、イメージングのデータ（その中には、超音波イメージングやそれ以外のディジタル・イメージングのデータが含まれる）を取得して例えばハンドピース内のコンピュータ制御システムに伝えることができる。制御システムは、この情報（圧力、及び／又はイメージング情報、及び／又は感知された他のあらゆる情報）を利用して組織内への針２１００の挿入を適切に制御することができる。例えば制御システムは、針２１００の速度、位置、角度、挿入の深さを独立に制御することができる。
【０１４１】
インプラント搬送針２１００をさらに遠位方向に移動させた後、図１６Ｃに示してあるように、その針２１００を組織９００の中に十分な深さ又は所望の深さまで到達させる。よりわかりやすくするため、図１６Ｃ〜図１８Ｅのそれぞれには、組織９００の断面図が組み込まれていることに注意されたい。中に組み込んだその各断面図は、時間と状態が、各図の他の部分の状況に対応している。図１６Ｃに示してあるように、それぞれの針２１００は、組織９００の近位層９０１と遠位層９０２を貫通して延びている。しかし遠位層９０２には十分に侵入していなくてもよいこと、すなわち遠位層９０２には深さの一部まで侵入し、貫通に至らなくてもよいことを理解すべきである。組織９００の近位層９０１と遠位層９０２は、修復に適した任意の組織に対応していてよい。例えば近位層９０１及び遠位層９０２として、図１Ｂに関して上に説明した部分９０５と９１０が可能である。
【０１４２】
針２１００は、図１６Ｃに示された、所望の深さに到達した後、図１７Ａ〜図１７Ｄに順番に示したようにして近位方向に引っ込める。それぞれのスリーブ又は針２１００が引っ込められたとき、針２１００の遠位部の中に収容されていて針２１００によって挿入又は駆動された位置に来た各インプラント２００（あとでより詳しく説明する）は、組織９００の中に留まっている。すなわち、針２１００はハウジング２００１の中に引っ込められるが、インプラント２００はそうならない。むしろインプラントは所望の埋め込み位置に残され、フィラメント２１５が組織９００の遠位層９０２と十分かつ効果的に係合し、その層の中に係留される。外側にネジ山がある近位部は、組織９００の近位層９０１を超えて近位方向に延びている。
【０１４３】
インプラント２００は、最初は適切な任意の機構によってハウジング２００１に向かって引っ込められるのを阻止することができる。最初は例えば針２１００の中の内部シャフトが、十分な数のフィラメント２１５が第２の層９０２の組織と係合できるようになるまで、インプラント２００が近位方向に移動するときにぶつかる積極的な停止部を作り出すことができる。十分な数のフィラメントが層９０２と係合すると、インプラント２００は近位方向の移動すなわち引っ込めに対して自らの位置を維持する。さらに、針２１００は、引っ込める前と引っ込めている間にかなりの数のフィラメント２１５が組織９００の第２の層９０２と接触できるよう、開口部（例えばスリット）を備えることができる。さらに、針２１００は、遠位方向に向けて挿入している間は遠位先端部２１０が針様先端部を形成する構成にすることで、針２１００の挿入と引っ込めの間は先端部２１０に隣接する多数のフィラメントが組織に対して露出するようにできる。別の機構が、インプラント２００の直径よりも小さい直径の穴（例えばナット２２５の内側）を通じてスリーブ又は針２１００を近位方向に引っ張ることができる。
【０１４４】
例えば図１７Ｄに示してあるように、ギャップ９０３が、組織９００の２つの層９０１と９０２の間に残っている。ギャップ９０３は、以下に説明するようにして閉じることができる。
【０１４５】
針又はスリーブ２１００を引っ込めた後、図１８Ａに示してあるように、ハウジング２００１の中でチューブ２４００を、インプラント又は固定具２１００の外側にネジ山のあるシャフトすなわち近位部がプレート又はワッシャー２２００の開口部を通過して内側にネジ山のある各ナット２２５と接触するまで、遠位方向に移動させる。ナット２２５とインプラント２００が接触すると、それぞれのチューブ２４００に取り付けられたナット駆動装置２３００を回転させてナット２２５に回転を与え、そのことによってナットの内側のネジ山をインプラント２００の各近位部の外側のネジ山と回転可能に係合させる。ナット２２５を回転させるため、それぞれのナット駆動装置２３００は、遠位方向に延びる一対の駆動用ピン２３０５を備えている。駆動用ピン２３０５は、各ナット２２５の対応する一対の凹部２２７（例えば図２０参照）の中に入ってその凹部と係合する。ナット駆動装置２３００は、例えば内部にナット駆動装置２３００が取り付けられた各チューブ２４００を回転させることによって互いに独立に駆動することができる。回転は、例えばトルクのフィードバック、圧力のフィードバック、イメージング・データや、これら以外のフィードバック・データに基づいてナットごとにコンピュータ制御すること、及び／又は個別化することができる。
【０１４６】
インプラント２００の外側にネジ山がある各部分のまわりをナット２２５がさらに回転すると、図１８Ｂと図１８Ｃに示してあるように、そのナット２２５はナット２２５の長さに沿って遠位方向に移動する。それぞれのナット２２５は、インプラント２００の各シャフトが通過するプレート又はワッシャー２２００の開口部よりも大きいため、ナット２２５が遠位方向に移動するとプレート２２００も遠位方向に移動する。図１８Ｃに示してあるように、プレート２２００が遠位方向に移動することによって最終的にプレート２２００は組織９００の近位層９０１の近位面と接触する。ナット２２５とプレート２２００がさらに遠位方向に移動すると、組織の第１の層も、プレート２２００との接触が原因となってインプラント２００のシャフトに沿って遠位方向に移動する。そのため図１８Ｄと図１８Ｅに示してあるように、組織の遠位層９０２が近位方向に向かって傾斜したフィラメント２１５と係合することが理由で組織９００の近位層９０１と遠位層９０２は引っ張られて合体し、両者の間のギャップ９０３が消える。図１８Ｅに示してあるように、埋め込み装置２０００は埋め込み部位から引っ込められる。残りの部分（その中には、インプラント２００、ナット２２５、プレート２２００が含まれる）は、全体を１種類以上の生体吸収性材料で形成することができる。しかしこれら部品の１つ以上又はすべてを非吸収性材料で形成してもよいことを理解すべきである。
【０１４７】
図示した実施例では３つのインプラント２００を使用しているが、適切な任意の数のインプラント２００（単一のインプラント２００を含む）を用意してプレートを支持できることを理解すべきである。さらに、プレート２２００は湾曲した形状だが、例えば個々の用途に応じて適切な任意の形状及び／又はサイズにできることを理解すべきである。
【０１４８】
図１８Ｆは、小さな固定用ナット２２５を締めることによって引っ張って合体させる前の組織の２つの層、すなわち一次中隔９０１と二次中隔９０２を示している。小さなインプラントの小さな固定用フィラメントは二次中隔と係合するため、ナット２２５を締めると一次中隔９０１と二次中隔９０２が引っ張られて合体することがわかる。
【０１４９】
針２１００は、適切な任意の方法で形成することができる。例えば針は、ニチノール製チューブに例えばレーザー切断によって長手方向に延びる切れ込みを設けて形成することができる。切れ込みは、例えば針２１００の近位端まで延びていてもよいし、端部に届く前に終わっていてもよい。この点に関し、切れ込みの長さ及び／又は数を選択すると、切れ込みの間に挟まれる金属バンドが及ぼす径方向のバネ力の大きさを明らかにすることができる。
【０１５０】
さらに、針２１００は、その内部に収容される固定具よりも小さな待機時直径又は初期直径を持つように形成することが望ましかろう。例えば図１８Ｇを参照すると、針２１０１は、固定具２００よりも小さな待機時直径又は初期直径を持つこと以外は針２１００と特徴を共有している。したがって図１８Ｇに示したような針２１０１の中に固定具２００を挿入するとき、金属バンド２１０２が外側に膨らんで隣り合った金属バンド２１０２間に広がったギャップを形成する。これは、フィラメント及び／又はそれ以外の係留機構を隣接した組織に係合させ、針２１０１を引っ込めるときの固定具の近位方向への移動に抵抗できるようにする上で有利である可能性がある。例えば図１８Ｇに示してあるように、固定具２００の小さな係留用フィラメント２１５は、針２１０１の隣り合った金属バンド２１０２間を長手方向に延びるギャップ全体で露出するため、フィラメント２１５は、針２１０１を引っ込める初期段階でさえ周囲の組織と係合することができる。この点に関し、フィラメント２１５と組織が係合すれば、固定具２００を埋め込まれた位置に残しつつ針２１０１を近位方向に引っ込められるようにする上で十分であろう。しかし針２１０１との関連で他の機構（例えば押し棒）を設けてもよいことを理解すべきである。
【０１５１】
針のこの埋め込み法は、他の用途で（例えば上に説明したようにメッシュ１３００を固定するのに）利用できる。図１６Ａ〜図１７Ｄに関して上に説明したのと同じか同様にして固定具１４００を埋め込むため、例えばアーム１１００の１本以上又はすべてに針２１００、２１０１を設けることができる。
【０１５２】
図１９Ａ〜図１９Ｄは、組織９００の欠陥９０４を修復する上記の手続きを順番に示している。図１９Ｂに示してあるように、埋め込み装置２０００を操作して欠陥９０４の近くに来させる。図１９Ｃに示してあるように、組織９００の弁が押されて所定の位置に来ると、上に記載したようにして固定される。そのとき、上に説明したように組織９００の弁は、組織９００の第１の層すなわち近位層９０１に対応し、その下にある組織９００は、組織９００の第２の層すなわち遠位層９０１に対応する。図１９Ｄに示してあるように、埋め込み装置２０００は引っ込められ、プレート２２００、固定具２００、ナット／ヘッド２２５が所定の場所に残って組織９００を修復された状態にする。固定具２００が組織の近位層に及ぼす力はプレート２２００によって比較的広い範囲に分散するため、固定具が存在している位置で組織が破れるリスクが小さくなることに注意されたい。
【０１５３】
図２０は、２つの小さな外科用インプラント又は固定具１００と２００の図であり、この明細書に開示した任意の固定具（例えば固定具又はインプラント１４００と１５００）と同じように用いることができる。以下により詳しく説明するように、固定具１００は、図１３Ａ〜図１５Ｃとの関連でも図示して説明されており、固定具２００は、図１６Ａ〜図１９Ｄとの関連でも図示して説明されている。外科用インプラント１００と２００（吸収性でも非吸収性でもよい）は、隣り合った２つの内臓又は組織面の間に侵入して両者を接合する設計にされている。インプラント１００と２００は、迅速に配備できる制御された状態で第１の組織と第２の組織の間を通過する設計にされている。インプラントは、針と同様の所定の形状にされている。各インプラント１００、２００は、遠位領域で徐々に細くなって針状先端部１１０、２１０に至る細長い本体１０５、２０５を有する。各インプラント１００、２００は、以下により詳しく説明するように、インプラント１００、２００を収容した状態で正確に配置された中空針又はチューブから押すことによって使用可能な状態にできる。
【０１５４】
小さなインプラント１００及び２００とこの明細書に記載した他の任意のインプラントは、１ｍｍ又は約１ｍｍの直径と、５ｍｍ〜１０ｍｍの範囲の長さを持つことができる。いくつかの実施形態によれば、直径は１ｍｍ未満である。いくつかの実施形態によれば、直径は０．８ｍｍ〜１．２ｍｍの範囲である。しかし他のサイズも可能であることを理解すべきである。
【０１５５】
各インプラント１００、２００の本体１０５、２０５は、インプラント１００、２００のコア１２０、２２０から出て外側に延びる特別な設計の小さな係留用フィラメント１１５、２１５を有する。係留用フィラメント１１５、２１５は、インプラント１００、２００の本体１０５、２０５の長さの少なくとも一部に沿ってその周囲に位置している。こうなることで、インプラントは、組織の中に一旦侵入した後は抜けないように抵抗することができる。
【０１５６】
コア１２０、２２０は、インプラント１００、２００の本体１０５、２０５のかなりの長さにわたって一定の直径を持つ。例えばインプラント１００のコア１２０は、ヘッド部１２５から、先端部１１０に向かうテーパ状の実質的な円錐形部分まで、一定の断面かつ一定の直径を持つ。しかしインプラント１００と２００は、より連続的なテーパ部及び／又は一定又は一定でない割合のテーパ部を持っていてもよい。
【０１５７】
係留用フィラメント１１５、２１５は、インプラント１００、２００の長軸に対してある角度で外側に向かって延びている。この点に関し、フィラメントは、長軸から外側に向かって延びていることに加え、先端部１１０、２１０から離れる近位方向へと延びている。このようになっていることで、遠位方向に駆動又は挿入しているときフィラメント１１５、２１５は孔を開けられた組織に沿って滑ることができる。しかし挿入位置から近位方向に向かうインプラント１００、２００の移動は、フィラメント１１５、２１５の外側自由端が比較的柔らかい組織と係合することによって阻止されるか抵抗を受ける。フィラメント１１５、２１５は可撓性があってもよいし、実質的に堅固であってもよい。しかしフィラメント１１５、２１５は、挿入位置からインプラント１００、２００を近位方向に引き戻すのに抵抗する十分な剛性又は強度を持たねばならない。さらに、フィラメント１１５、２１５はまっすぐなものを図示してあるが、フィラメント１１５、２１５のうちのいくつか又はすべてが少なくとも部分的に湾曲していてもよいこと、及び／又は直線部及び／又は湾曲部の間に一カ所以上の曲がった部分があってもよいことを理解すべきである。さらに、インプラント１００、２００のフィラメント１１５、２１５は、長さ、及び／又は径方向の延長部、及び／又はインプラント１００、２００の長軸に対する角度が一定でも異なっていてもよい。
【０１５８】
フィラメント１１５、２１５、又はこの明細書に記載した任意の係留用フィラメントは、個々の用途に応じて適切な任意の密度と相互間隔にすることができる。用途によっては、同じか同等の縫合保持力又は“引き抜き強度”となるようにしつつ、より大きな密度（すなわち単位面積あたりのフィラメントの数がより多い）でより小さなフィラメントにすることや、（場合によっては形状記憶合金（例えばニチノールやバネ付き鋼）で強化した）より小さな密度でより広いフィラメントにすることができる。オプションの強化として、形状記憶合金（例えばニチノールやバネ付き鋼）で形成した“Ｖ”字形部分が可能であろう。フィラメント１１５、２１５は、全体又は一部を吸収性又は非吸収性にすることができる。
【０１５９】
各インプラント１００、２００は、近位ヘッド１２５、２２５を備えている。ヘッド１２５、２２５は、コア１２０、２２０を超えて径方向に延びていて、コア１２０、２２０よりも大きな径方向の断面積を有する。ヘッド１２５、２２５は、インプラント１００が組織の中に深く入りすぎたり組織を完全に貫通したりするのを阻止できる。インプラント１００、２００は長軸に沿って遠位方向に駆動されるため、コア１２０、２２０は組織に孔を開けて入って進んでいく。より大きな直径又は断面を有するヘッド１２５、２２５により、インプラント１００、２００の近位部が組織の中に入るのが阻止されるか抵抗を受ける。したがって組織の２つの層に孔を開けて両者を接合する場所では、組織の遠位層は、その遠位層がフィラメント１１５、２１５と係合することで組織の近位層から離れて遠位方向に移動しないように拘束され、近位層は、その近位層（例えば近位層の外側近位面）がヘッド１２５、２２５と係合することで遠位層から離れて近位方向に移動しないように拘束される。
【０１６０】
インプラント１００では、係留用フィラメント１１５が先端領域から軸方向に固定された近位ヘッド１２５に至るまで設けられているのに対し、インプラント２００では、所定の長さにわたって外側に小さなネジ山２３０が設けられていて、対応する内側のネジ山を有するヘッド２２５がインプラントのまわりを回転できるため、隣り合った２つの組織が密着するという点で、インプラント１００はインプラント２００と異なっている。この点に関し、インプラント２００は最初に組織の中に入れることができ、組織の中を移動する距離は、例えばインプラント２００と組織の間の摩擦によって制限される。この初期駆動の後、ヘッド２２５を例えば時計回りの方向に回転させると、ヘッド又はナット２２５をインプラント２００の長軸に沿って遠位方向に移動させることができる。回転は、ヘッド２２５の駆動用凹部２２７と係合する突起を有する回転可能な駆動装置によって実現できる。これについては後でより詳しく説明する。ヘッド２２５は等間隔の配置にされた４つの凹部２２７を有するが、適切な任意の数の凹部２２７を設けてもよいことを理解すべきである。さらに、小さな固定用のナット又はヘッド２２５は、凹部の代わりに、又は凹部に加えて突起を備えていてもよい。その突起を駆動装置によって係合させることで、ヘッド２２５を回転させることができる。さらに、他の適切な任意の駆動機構を設けてもよい。例えば駆動装置は、ヘッド２２５の外面を把持し、摩擦を通じて回転を与えることができる。あるいはヘッド２２５の径方向外側を向いた面は、駆動装置によって係合させることが可能な１つ以上の平坦な面を備えることができる。
【０１６１】
ヘッド２２５の遠位面と組織の近位層の近位面が接触することで、今度は組織の近位層が、フィラメント２１５によって軸方向の移動を拘束されている組織の遠位層に向かって移動する可能性がある。ヘッド２２５は、ネジ山間の摩擦又は他の適切な任意のロック機構や固定機構（例えば戻り止め）によって逆方向に回転することを阻止される。ヘッド２２５を締める回転をさせている間、本体２０５は、フィラメント２１５が組織又は他の適切な任意の機構と係合することによって回転しないようにすることができる。
【０１６２】
各インプラント１００、２００は近位面１３５、２３５を持っていて、その近位面を通じて駆動力を加えることができる。インプラント１００の近位面１３５は近位ヘッド１２５の近位面に対応するのに対し、インプラント２００の近位面２３５は、コア２２０の直径と同じか実質的に同じ、より小さな直径を持つ。
【０１６３】
インプラント１００、２００は、円形断面のコア１２０、２２０とヘッド１２５、２２５を有するが、他の断面、例えば長方形、及び／又は三角形、及び／又は楕円形、及び／又は多角形、及び／又は他の任意の規則的な形状や不規則な形状にすることができる。さらに、係留用フィラメント１１５、２１５は、互いの間を規則的な間隔にしてもよいし、不規則な間隔にしてもよいことを理解すべきである。さらに、フィラメントの密度、すなわちコア１２０、２２０の単位面積あたりのフィラメント１１５、２１５の数は、一定でもよいし、変化してもよい。
【０１６４】
最新の製造方法では、ニアナノ技術を適用することができる。そうすることで、数年前には不可能だった可能性のあるサイズと複雑さを持つインプラント１００、２００を製造することができる。インプラント１００、２００は、吸収性ポリマー又は非吸収性ポリマーを射出成形した後、突起したフィラメント１１５、２１５とネジ山のある凹部２２７を付加することができる。インプラント２００のヘッド２２５は許容誤差が同じか同様になるように別々に製造し、インプラントのネジ山２３０とインプラント２００のヘッド２２５の間の界面が互いに正確に噛み合うようにする。
【０１６５】
インプラント１００と２００はポリマーで形成されるが、適切な任意の材料（例えば金属や複合材料）を使用できることを認識すべきである。
【０１６６】
インプラント１００と２００の材料と製造方法は、この明細書に記載した任意のインプラントに適用できる。
【０１６７】
遠位側が保持又は固定されていない互いに隣接した組織の中に正確に侵入するには、両方の組織層に侵入するため組織の各層に迅速に侵入する必要があろう。インプラント１００、２００をゆっくりと適用する場合には、十分に侵入しないまま組織がインプラント及び／又は針によって遠位方向に押しやられる可能性がある。したがっていくつかの送達機構は、インプラントを比較的高速で放出する。好ましいいくつかの実施例では、生理食塩水を用い、プランジャがインプラントを正確な速度で放出するような速度でカテーテル又は針の中のチャネルを加圧する。別の実施形態では、バネ付き機械式機構を利用してインプラントを放出させる。さらに別の実施形態では、カテーテルの長さに沿って移動する長い押し棒を用いてインプラントを押す。放出の様子はコンピュータによって制御される。しかし放出は、例えば操作者が制御してもよい。例えば放出力は、操作者（例えば外科医）が始動させる機械システム（例えばバネ付きシステム）によってあらかじめ決めて繰り返せるようにできる。
【０１６８】
図２１Ａと図２１Ｂは、カテーテル又は針４００と６００を有する駆動機構を備える外科用インプラント３００と５００の模式図である。この構成は、この明細書に開示した任意の固定具との関連で使用することができる。
【０１６９】
図２１Ａを参照すると、インプラント３００は、インプラント１００及び２００と共通する特徴を多数共有している。しかしインプラント３００は、逆ネジ山３３０と、駆動用凹部３２７を有する近位ヘッド３２５とを含む点が異なっている。駆動用凹部は、カテーテル４００の回転可能な駆動装置４０５に対応する形状を有するため、駆動装置４０５を凹部３２７の中に挿入してインプラント３００を軸のまわりに回転させることができる。この点に関し、駆動装置が第１の方向４１０に回転すると、駆動装置は方向４１０に回転する。方向４１０は（近位位置から見て）時計回りの向きだが、駆動装置がインプラント３００を反時計回りの向きに回転させる構成（例えばネジ山が逆向きの場合）にしてもよいことを認識すべきである。駆動装置は、駆動中は、インプラントが移動する距離に合わせてその駆動装置の軸線に沿って遠位方向に徐々に移動する構成である。駆動装置４０５と凹部３２７の互いに対応する形状は、適切な任意の断面（例えば長方形又は六角形）を持つように選択できる。
【０１７０】
カテーテルは、遠位端部に一対の保持用タブ４１５を有する。保持用タブ４１５は、近位ヘッド３２５の直径よりも小さいがインプラント３００のより遠位にある他の部分の直径よりも大きい内径を有する。したがって保持用タブにより、インプラント３００の遠位部はカテーテルの遠位端を超えて移動して組織の中に入るが、ヘッド３２５はカテーテルの中に保持されるようにすることができる。インプラント３００の駆動後、保持用タブを径方向外側に向けて互いに離してインプラント３００のヘッドを解放することで、カテーテル４００をインプラント部位から引っ込めることができる。
【０１７１】
図２１Ｂを参照すると、カテーテル６００は、インプラント４００と共通する特徴（例えば保持用タブ６１５）を多数共有しているが、バネ駆動装置６０５を備えている点が異なっている。バネ駆動装置６０５は、バネ力をインプラント５００の近位ヘッド５２５に及ぼし、最初の近位位置から、伸長した遠位位置まで迅速に移動させる。バネ駆動装置６０５は、インプラント５００と接触していないあらかじめ負荷を与えられた初期位置を持つことができる。したがってバネ及び／又は駆動装置でバネによって駆動される部分には、インプラント５００と係合する前に運動量を与えることができる。これは、インプラント５００により大きな加速力を与えるのに適している。インプラントが大きな速度を迅速に獲得できると、単純に組織の外側近位面５５１を押すのではなく、組織の近位面５５１に孔を開けてその組織の厚さを横断して侵入して遠位面５５２に到達することができる。これは、駆動中に組織の裏側にいかなる初期構造も必要としないシステムを可能にするのに特に適している可能性がある。
【０１７２】
図２２は、駆動機構を備える外科用インプラント７００の模式図である。駆動機構は、上に説明したカテーテル４００及び６００と特徴（例えば保持用タブ８１５）を共有するカテーテル８００である。保持用タブ８１５は、開いた状態、すなわち径方向に延びた状態が示されているため、インプラント７００のヘッド７２５が軸に沿って遠位方向に通過することができる。
【０１７３】
駆動装置（例えば図２２の駆動装置又はこの明細書に開示した他の任意の駆動装置）は、この明細書に記載した任意の固定具を所定の深さまで到達させる構成にすることができる。深さの精度は、適切な任意の機構（例えば正確な水圧駆動力、フランジ又は他の同様の停止部との係合、ぴんと張った状態になって深さを制限するフィラメント／縫合糸）によって実現できる。さらに、深さは、蛍光透視法又は他の適切な任意のイメージング機構を利用してモニタすることができる。駆動機構は、加圧された生理食塩水や、内視鏡カテーテルのシャフトを通じて加圧されるそれ以外の流体を含むことができる。したがって非常に正確な制御を実現できる。
【０１７４】
実施形態によれば、コンピュータ・システムが２つの点の位置を明らかにし、例えばその２つの点の間の距離を決定することができる。距離は、固定具を発射して到達させる望ましい距離として利用できる。埋め込む距離は、適切な任意の調節機構（例えば調節可能な停止部又はフランジ、固定具に取り付けられた紐又は縫合糸）によって、及び／又は埋め込み中の固定具の速度と運動量を正確に制御する（例えば水圧推進力系を細かく制御する）ことによって設定することができる。深さのこのような測定及び／又は決定及び／又は制御は、この明細書に開示した任意の固定具の埋め込みとの関連で利用することができる。
【０１７５】
インプラント７００は、上に説明したインプラント１００、２００、３００、５００と多数の特徴を共有しているが、複数のバネ付きタブ７０２を備えている点が異なっている。バネ付きタブ７０２は、例えば形状記憶合金（例えばニチノールやバネ付き鋼）で形成することができる。バネ付きタブは、針様先端部７１０によって近位面７５１を含めて組織に孔を開けた後に（閉じられた状態の）カテーテル８００と組織の中を移動するが、そのタブ７０２の近位自由端がカテーテル８００と組織の中に軸方向を向いて配置されているとき、そのタブ７０２は、閉じられた状態、すなわち径方向内向きの状態に維持される。しかしバネ付きタブ７０２の近位端が組織の遠位側７５２を通過すると、タブはもはや組織によって径方向に拘束されないため、径方向外側に向かって広がって開いた状態になることができる。開いた状態のインプラント７００は、広がったタブ７０２と組織の遠位面７５２が接触することで、組織を通って近位方向に引っ込むことを阻止又は拘束される。そこでインプラント７００のナット又はヘッド７２５を、インプラント２００のヘッド２２５について上に説明したようにして回転させることで遠位方向に前進させて組織の層を合体させることができる。
【０１７６】
図２３は、固定具又はインプラント２５０を示している。固定具２５０は、この明細書に開示した他の固定具と特徴を共有しており、この明細書に記載した固定する他の用途のどれとの関連でも利用することができる。しかし固定具２５０は、波形の本体２５１を備えている。本体２５１は、その本体２５１の長さに沿って軸方向に延びる複数の溝２５３を備えている。例えば複数の溝２５３は複数の隆起部２５５と交互になって本体２５１のまわりに広がっている。さらに、固定具本体２５１は、一対の割れた部分又はＶ状部２５７と２５８を備えている。割れた部分は、本体２５１に食い込むそれぞれの割れ目又は切り込み２５９によって形成される。この点に関し、割れ目２５９は、本体２５１の中に径方向に切り込みを入れて軸方向に延ばすことによって形成できる。したがって２つの割れた部分２５７と２５８は、遠位位置で本体２５１の残部に付着していて、近位方向に向かって延びて自由端になる。自由端には、湾曲面に沿って複数の鋭い突起がある。これらの突起は、波形が原因で形成される。特に隆起部２５５が、図２３の中の部分側面図に示してあるように、鋭い突起を形成する。鋭い突起は、固定具２５０が組織を把持する上で、そして遠位方向に滑るのを阻止する上で有利である。それぞれの割れた部分２５７と２５８は、図示してあるようにそのような突起を３つ備えているが、固定具２５０は、１つ以上の割れた部分が他の任意の数の突起（鋭い突起が１つだけも含む）を備える設計にできることを理解すべきである。例えばより多くの鋭い突起を望む場合には、本体２５１をより密な波形にすること（すなわちより多数の溝２５３と隆起部２５５を交互に設けること）、及び／又は切り込み又はスライスの角度を調節することができよう。さらに、突起が近位方向に延びる長さは、隆起部２５５に対する溝２５３の深さを変化させることによって調節できる。
【０１７７】
割れた部分２５７と２５８は、遠位方向に向かって組織の中に挿入するのに実質的に妨げとならないが、組織に引っ掛かることによって挿入位置から近位方向に移動するのに抵抗する。割れた部分２５７と２５８の尖った近位端及び／又はエッジの鋭い近位端を割れた部分の近位端にある交互になった隆起部と組み合わせると、性能が改善されることが見いだされた。
【０１７８】
さらに、割れた部分又は翼部２５７と２５８は、互いに軸方向にずれている。例えば割れた部分２５７は、ｘ軸に沿って軸方向の位置ａに位置し、割れた部分２５８は、ｘ軸に沿って軸方向の位置ｂに位置する。こうすると、ずれていない構成と比べて本体２５１の他の部分の構造的強度をより大きくすることができる。特に、切り込みは、遠位方向に進むにつれて径方向内側に向かっていくため、ずれていない構成であったとしたら、切り込みの遠位端で断面内の材料の量が実質的により少なくなるであろう。その場合には、本体の軸に沿って力学的に弱い点又は領域ができ、特に小さなサイズの固定具で物理的な破損につながる可能性がある。
【０１７９】
固定具２５０の遠位先端部は、尖った点を持つピラミッド形であり、複数の面が、その尖った点に収束するエッジによって分離されている。４つの平面が設けられているが、適切な任意の数の面を設け、その面のうちの１つ以上又はすべてを非平面にしてもよいことを認識すべきである。
【０１８０】
固定具２５０は、フック状端部２６０も備えている。このフック状端部は、他の任意の一時的インプラント及び／又は常置インプラントとのカップリングに適している可能性がある。
【０１８１】
固定具２５０は、波形部を有する本体２５１を例えば射出成形又は押し出しによって最初に形成し、その後、Ｖ状部２５７と２５８を例えば本体２５１の側部に径方向に切り込みを入れて形成することによって製造できる。図示してあるように、切り込みは、（始まる近位点において）本体２５１の長軸に対してある角度で湾曲している。その角度は、最初の近位切り込み位置から固定具２５０の遠位端に向かって徐々に減少し、最終的に直線になる。図示した実施例の割れ目又は切り込みは本体２５１の長軸に対して湾曲している、又は角度が変化しているが、直線状の切り込みを含めて適切な任意の切り込みを作ってもよいことを理解すべきである。
【０１８２】
固定具２５０は、本体２５１の径方向周辺部のまわりに等間隔に配置された翼部又は割れた部分を備えているが、単一のＶ状部を含めて任意の数のＶ状部を径方向周辺部のまわりに適切な任意の間隔で設けてもよいことを認識すべきである。
【０１８３】
さらに、波形になった割れた部分の構成をこの明細書に開示した他の任意の固定具の特徴と組み合わせて利用できることを理解すべきである。例えば固定具２５０は、上により詳しく開示してあるような、波形の割れた遠位部と、近位ヘッドを受容する構成のネジ山付き近位部を備えること、及び／又は割れた部分に加えてフィラメントを備えることができる。
【０１８４】
図２４は、小さな外科用インプラント又は固定具３０００を示している。固定具３０００は、この明細書に記載した他の固定具の多数の特徴を有する。さらに、固定具３０００は、ラチェット機構を有する近位部を備えている。ラチェット機構は、小さなラチェット・ヘッド３０２５とラチェット歯３０３０を備えている。インプラント３０００のラチェット機構は、上記の固定具２００の小さなネジ山のある構成と似た機能を果たす。しかしヘッド２２５が固定具２００のネジ２３０のまわりを回転するのとは異なり、ラチェット・ヘッド３０２５は、固定具本体３００５に沿って例えば直線的に滑る。各ラチェット歯３０３０、又は周辺部の一群のラチェット歯３０３０は遠位方向に向かって並んでいるため、ヘッド３０２５を近位方向に引っ込めようとすると、ヘッド３０２５の近位面がラチェット歯３０３０の遠位面とラチェット式に係合することにより抵抗を受けるか阻止される。この点に関し、ヘッド３０２５が軸方向で止められる各位置において、固定具本体３００５は、ラチェット・ヘッド３０２５と係合する配置にされた適切な任意の数のラチェット歯３０３０（単一のラチェット歯３０３０を含む）を備えることができる。さらに、単一の歯３０３０が固定具本体３００５の径方向の周囲全体に連続的に延びていてもよい。
【０１８５】
固定具３０００は、埋め込み後に組織の中に係留して近位方向に移動しないようにするためマイクロフィラメントを備えているが、他の任意の係留機構（例えば上記のような翼部や割れた部分）を用意してもよいことを理解すべきである。さらに、この明細書に開示した他の固定具に関して開示した特徴のうちの任意のものを固定具３０００に関連して利用することができる。
【０１８６】
図２５は、外科用インプラント３１００の遠位端部の図である。この明細書に開示したどの固定具の遠位端部も、この構成の遠位端部にすることができる。この構成の遠位端部は、遠位方向で収束して尖った点３１１０を形成する３つの凹面３１０５を備えている。３つの凹面３１０５を分離しているのは、テーパ状になった３つの刃先３１１５である。テーパ状のこれら刃先３１１５により、組織（例えば軟組織）に容易に侵入することができる。図２５に示した端部は３つの凹面３１０５を備えていて、それらの凹面は対応する３つのテーパ状刃先３１１５によって分離されているが、適切な任意の数の凹面３１０５と対応する刃先３１１５を設けてもよいことを理解すべきである。
【０１８７】
上に説明したどの機構と装置も、適切な任意の圧力感知機構を利用した圧力感知（例えば針又は固定具を前進させるのに必要な圧力の感知）と組み合わせて利用することができる。圧力は、例えばこの明細書に記載した任意の実施形態の埋め込み装置とカップルしているハンドピース内のコンピュータに伝えることができる。さらに、イメージング（その中には、超音波イメージングやそれ以外のディジタル・イメージングが含まれる）のデータを取得して例えばハンドピース内のコンピュータ制御システムに伝えることができる。この情報（例えば圧力、及び／又はイメージング情報、及び／又は他の任意の感知情報）を制御システムが利用し、組織の中へのさまざまな針及び／又はインプラントの挿入を適切に制御することができる。例えば制御システムは、挿入の速度、及び／又は位置、及び／又は角度、及び／又は深さを制御することができる。このように正確な制御は、インプラントを非常に正確に位置決めする必要のある心臓の欠陥を修復するときに特に有利である可能性がある。
【０１８８】
この明細書に記載したさまざまな機構により、柔軟性を大きくできる組織修復システムが提供される。例えばより小さな欠陥は、単一の固定具（例えば固定具１００、又はこの明細書に記載した他の任意の固定具）を用いて修復でき、より大きな欠陥は、複数の固定具を、ワッシャー又はプレート２２００とともに用いて、又はワッシャー又はプレート２２００なしで用いて修復できる。より大きな欠陥（例えばヘルニアや大きな穴）は、上に説明したようにメッシュ１３００の使用がより適している可能性がある。
【０１８９】
この明細書に記載したさまざまなインプラント（例えば固定具又は係留具１００、２００、２５０、３００、５００、７００、１４００、１６００、３０００、３１００、ナット２２５、７２５、ヘッド３０２５、プレート２２００）は、成形（例えば射出成形）によって形成できる。
【０１９０】
さらに、この明細書に記載した埋め込み可能な要素（例えば固定具１００、２００、２５０、３００、５００、７００、１４００、１６００、３０００、３１００、ナット２２５、７２５、ヘッド３０２５、メッシュ１３００、プレート２２００）のどれも、全体又は一部を、例えば具体的な用途に応じ、患者の身体が吸収できる材料、又は非吸収性材料で形成することができる。例えばこれらの要素は、ポリグリコール酸（ＰＧＡ）又はＰＧＡコポリマーで形成することができる。これらの要素は、ポリエステル及び／又はナイロン及び／又は他のポリマーのコポリマーで形成することもできる。さらに、これらの要素は、１種類以上の形状記憶合金（例えばニチノールやバネ付き鋼）を含むことができる。
【０１９１】
さまざまなインプラントを間違って放出したり不適切な場所に位置させたりする可能性がある場合には、吸収性材料が有利である可能性がある。例えば固定用アーム１１００が固定具を予定していない位置に駆動する場合、又は組織がうまくインプラントを受容しない場合には、その固定具（例えば固定具１００）は、たとえそれが必要でない場所であっても比較的無害であると考えられる。なぜならその固定具は、最終的に患者の体内に吸収されるからである。
【０１９２】
本発明を特定の実施例と実施形態を参照して説明してきたが、上記の説明が本発明を制限することを意図していないことを理解すべきである。さらに、この明細書に記載した特徴は、任意に組み合わせて利用できる。
【図１Ａ】
2019093216.tif 000003
【図１Ｂ】
2019093216.tif 000004
【図１Ｃ】
2019093216.tif 000005
【図２Ａ】
2019093216.tif 000006
【図２Ｂ】
2019093216.tif 000007
【図２Ｃ】
2019093216.tif 000008
【図３Ａ】
2019093216.tif 000009
【図３Ｂ】
2019093216.tif 000010
【図３Ｃ】
2019093216.tif 000011
【図３Ｄ】
2019093216.tif 000012
【図３Ｅ】
2019093216.tif 000013
【図３Ｆ】
2019093216.tif 000014
【図４Ａ】
2019093216.tif 000015
【図４Ｂ】
2019093216.tif 000016
【図５Ａ】
2019093216.tif 000017
【図５Ｂ】
2019093216.tif 000018
【図５Ｃ】
2019093216.tif 000019
【図５Ｄ】
2019093216.tif 000020
【図５Ｅ】
2019093216.tif 000021
【図５Ｆ】
2019093216.tif 000022
【図６Ａ】
2019093216.tif 000023
【図６Ｂ】
2019093216.tif 000024
【図７Ａ】
2019093216.tif 000025
【図７Ｂ】
2019093216.tif 000026
【図７Ｃ】
2019093216.tif 000027
【図７Ｄ】
2019093216.tif 000028
【図７Ｅ】
2019093216.tif 000029
【図７Ｆ】
2019093216.tif 000030
【図８Ａ】
2019093216.tif 000031
【図８Ｂ】
2019093216.tif 000032
【図８Ｃ】
2019093216.tif 000033
【図８Ｄ】
2019093216.tif 000034
【図８Ｅ】
2019093216.tif 000035
【図８Ｆ】
2019093216.tif 000036
【図９Ａ】
2019093216.tif 000037
【図９Ｂ】
2019093216.tif 000038
【図１０Ａ】
2019093216.tif 000039
【図１０Ｂ】
2019093216.tif 000040
【図１０Ｃ】
2019093216.tif 000041
【図１１Ａ】
2019093216.tif 000042
【図１１Ｂ】
2019093216.tif 000043
【図１２Ａ】
2019093216.tif 000044
【図１２Ｂ】
2019093216.tif 000045
【図１３Ａ】
2019093216.tif 000046
【図１３Ｂ】
2019093216.tif 000047
【図１４Ａ】
2019093216.tif 000048
【図１４Ｂ】
2019093216.tif 000049
【図１４Ｃ】
2019093216.tif 000050
【図１５Ａ】
2019093216.tif 000051
【図１５Ｂ】
2019093216.tif 000052
【図１５Ｃ】
2019093216.tif 000053
【図１６Ａ】
2019093216.tif 000054
【図１６Ｂ】
2019093216.tif 000055
【図１６Ｃ】
2019093216.tif 000056
【図１７Ａ】
2019093216.tif 000057
【図１７Ｂ】
2019093216.tif 000058
【図１７Ｃ】
2019093216.tif 000059
【図１７Ｄ】
2019093216.tif 000060
【図１８Ａ】
2019093216.tif 000061
【図１８Ｂ】
2019093216.tif 000062
【図１８Ｃ】
2019093216.tif 000063
【図１８Ｄ】
2019093216.tif 000064
【図１８Ｅ】
2019093216.tif 000065
【図１８Ｆ】
2019093216.tif 000066
【図１８Ｇ】
2019093216.tif 000067
【図１９Ａ】
2019093216.tif 000068
【図１９Ｂ】
2019093216.tif 000069
【図１９Ｃ】
2019093216.tif 000070
【図１９Ｄ】
2019093216.tif 000071
【図２０】
2019093216.tif 000072
【図２１Ａ】
2019093216.tif 000073
【図２１Ｂ】
2019093216.tif 000074
【図２２】
2019093216.tif 000075
【図２３】
2019093216.tif 000076
【図２４】
2019093216.tif 000077
【図２５】
2019093216.tif 000078
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
内部チャンバーと組織に孔を開ける鋭い先端部とを有する中空の針と、
該針の前記内部チャンバーの中に配置することのできる外科用インプラントと、
該外科用インプラントと共に前記針を駆動して前記組織内の所定の位置に入れるように構成されたアクチュエータと、を具備し、前記針が、前記外科用インプラントを前記組織の中に残したまま駆動された位置から引っ込めることができ、
前記外科用インプラントが、当該外科用インプラントの近位方向への移動に抵抗するように構成された複数のフィラメントを備えた遠位部を有し、前記複数のフィラメントが近位方向に外側に延び、
前記複数のフィラメントの各々が、近位方向に向かって延びて自由端になり、且つ、複数の隆起部及び溝から形成された長手方向に延びる外面の波形を有し、前記複数の隆起部及び溝の各々が、前記自由端に少なくとも１つの突起を設けるように、前記フィラメントの長軸に沿って延びる外科用インプラントの位置決め装置。
【請求項２】
前記外科用インプラントが、外側にネジ山のある近位部を有する請求項１に記載の外科用インプラントの位置決め装置。
【請求項３】
内側にネジ山のある近位ヘッドと、
前記内側のネジ山と前記外側のネジ山との間の係合によって前記近位ヘッドが前記外科用インプラントの長軸に沿って移動するように、該近位ヘッドを前記外科用インプラントの前記近位部に接続して前記近位ヘッドを前記近位部に対して回転させるように構成されたヘッド駆動装置と、をさらに具備する請求項２に記載の位置決め装置。
【請求項４】
近位ヘッドと、
該近位ヘッドを前記外科用インプラントの近位部に接続して前記近位ヘッドを前記外科用インプラントの長軸に沿って移動させるヘッド駆動装置と、をさらに具備する請求項１に記載の外科用インプラントの位置決め装置。
【請求項５】
前記ヘッド駆動装置が前記近位ヘッドから離れた後に、前記近位ヘッドが軸方向の位置を維持する請求項４に記載の位置決め装置。
【請求項６】
チューブ状ハウジングをさらに具備し、前記針がそのチューブ状ハウジングの中を通って延びており、
前記針が、前記チューブ状ハウジングの中を延びる複数の針のうちの１本であり、前記外科用インプラントが、前記複数の針の中に配置できる対応する複数のインプラントのうちの１つであり、
埋め込み可能なプレートをさらに具備し、該プレートの中を前記複数の針が延びている請求項１に記載の外科用インプラントの位置決め装置。
【請求項７】
前記複数の針に対応する複数の近位ヘッドと、
該近位ヘッドの各々を対応する前記外科用インプラントの近位部に接続し、接続された前記近位ヘッドを対応する前記外科用インプラントの長軸に沿って遠位方向に移動させるヘッド駆動装置をさらに具備する請求項６に記載の位置決め装置。
【請求項８】
前記近位ヘッドの駆動によって前記プレートが前記外科用インプラントに対して遠位方向に移動する請求項７に記載の位置決め装置。
【請求項９】
前記針が１つ以上のスリットを有し、該スリットにより前記針の遠位端が広がることが可能になり、前記針を引っ込めるとき前記外科用インプラントが前記遠位端を通過できる請求項１から８のいずれか一項に記載の位置決め装置。
【請求項１０】
前記チューブ状ハウジングがカテーテルである請求項６に記載の位置決め装置。
【請求項１１】
前記針に沿って延びるプランジャをさらに具備し、該プランジャは、前記針が引っ込められたときに前記外科用インプラントが前記針とともに引っ込められることを阻止するように構成される請求項１から１０のいずれか一項に記載の位置決め装置。
【請求項１２】
前記針が形状記憶材料でできている請求項１から１１のいずれか一項に記載の位置決め装置。
【請求項１３】
前記形状記憶材料がニチノールである請求項１２に記載の位置決め装置。
【請求項１４】
前記針がバネ鋼でできている請求項１から１１のいずれか一項に記載の位置決め装置。
【外国語明細書】
2019093216000001.pdf